(57)【要約】【課題】ホストの検索性を向上させることが可能となる、検索システム、情報提供システム、クライアント側装置、ホスト側装置、情報提供方法、情報提供プログラム、クライアント側プログラム、及びホスト側プログラムを提供すること。【解決手段】検索システム１は、クライアント側装置１０、複数のホスト側装置２０、及び情報提供装置３０を備えた検索システムであって、クライアント側装置１０は、クライアント側通信部、生成用情報を取得する取得部、検索条件情報を生成する検索条件情報生成部、及びディスプレイを備え、複数のホスト側装置２０の各々は、ホスト側通信部、回答情報を生成する回答情報生成部、及びディスプレイを備え、情報提供装置３０は、通信部、検索条件情報とホスト情報とを相互に関連付けて格納するホストＤＢに格納されたホスト情報の中から所望のホスト情報を特定する特定部、及び通知情報を生成する通知情報生成部を備えた。【選択図】図１
2018005377.tif 000002
【特許請求の範囲】
【請求項１】
クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、
前記クライアント側装置は、
前記複数のホスト側装置又は前記情報提供システムとの相互間で通信を行うためのクライアント側通信手段と、
前記ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、を備え、
前記複数のホスト側装置の各々は、
前記クライアント側装置又は前記情報提供システムとの相互間で通信を行うためのホスト側通信手段と、
前記サービスを提供できるか否かの回答を示す回答情報を生成する回答情報生成手段と、
当該各ホスト側装置に関する各種情報を出力するホスト側出力手段と、を備え、
前記情報提供システムは、
前記クライアント側装置又は前記複数のホスト側装置との相互間で通信を行うための通信手段と、
前記検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記クライアント側装置の前記検索条件情報生成手段は、前記取得手段にて前記生成用情報が取得された場合に、当該生成用情報に基づいて前記検索条件情報を生成し、
前記クライアント側装置の前記クライアント側通信手段は、前記検索条件情報生成手段にて生成された前記検索条件情報を前記情報提供システムに送信し、
前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、
前記情報提供システムの前記通信手段は、前記通知情報生成手段にて生成された前記通知情報を前記特定手段にて特定された前記ホスト情報に対応する前記ホスト側装置に送信し、
前記複数のホスト側装置の各々の前記ホスト側出力手段は、前記ホスト側通信手段にて前記通知情報が受信された場合に、当該通知情報を出力し、
前記複数のホスト側装置の各々の前記回答情報生成手段は、前記ホスト側出力手段にて出力された前記通知情報に対する前記回答情報であって、所定方法で特定された前記回答を示す前記回答情報を生成し、
前記複数のホスト側装置の各々の前記ホスト側通信手段は、前記回答情報生成手段にて生成された前記回答情報を前記クライアント側装置又は前記情報提供システムに送信し、
前記クライアント側装置の前記クライアント側出力手段は、前記クライアント側通信手段にて前記回答情報が受信された場合に、当該回答情報を出力する、
検索システム。
【請求項２】
クライアント側装置及び複数のホスト側装置の各々と通信可能に接続された情報提供システムであって、
前記クライアント側装置又は前記複数のホスト側装置との相互間で通信を行うための通信手段と、
ホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信する、
情報提供システム。
【請求項３】
前記サービスは、医療サービスであり、
前記検索条件情報は、医師の出勤状態を示す出勤状態情報、患者の症例と関連する前記医師の診療分野を示す診療分野情報、又は、前記患者の位置と関連する前記医師の位置を示す位置情報を含む、
請求項２に記載の情報提供システム。
【請求項４】
前記情報提供システムは、前記医師の現在位置を示す医師現在位置情報及び前記医師が所属する医療施設の位置を示す医療施設位置情報が所定方法で取得された場合に、当該医師現在位置情報及び当該医療施設位置情報に基づいて、前記ホスト情報格納手段に格納されている前記検索条件情報のうちの前記出勤状態情報を更新する更新手段を備えた、
請求項３に記載の情報提供システム。
【請求項５】
前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する、
請求項２から４のいずれか一項に記載の情報提供システム。
【請求項６】
情報提供システム及び複数のホスト側装置の各々と通信可能に接続されたクライアント側装置であって、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、を備え、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力する、
クライアント側装置。
【請求項７】
クライアント側装置及び情報提供システムと通信可能に接続されたホスト側装置であって、
前記クライアント側装置又は前記情報提供システムとの相互間で通信を行うためのホスト側通信手段と、
クライアントに対してサービスを提供できるか否かの回答を示す回答情報を生成する回答情報生成手段と、
当該ホスト側装置に関する各種情報を出力するホスト側出力手段と、を備え、
前記ホスト側出力手段は、前記情報提供システムにて特定されたホストである旨を通知するための通知情報が前記ホスト側通信手段にて受信された場合に、当該通知情報を出力し、
前記回答情報生成手段は、前記ホスト側出力手段にて出力された前記通知情報に対する前記回答情報であって、所定方法で特定された前記回答を示す前記回答情報を生成し、
前記ホスト側通信手段は、前記回答情報生成手段にて生成された前記回答情報を前記クライアント側装置又は前記情報提供システムに送信する、
ホスト側装置。
【請求項８】
クライアント側装置及び複数のホスト側装置の各々と通信可能に接続された情報提供システムにおいて行われる情報提供方法であって、
通信手段が、前記クライアント側装置又は前記複数のホスト側装置との相互間で通信を行うための通信ステップと、
特定手段が、前記通信手段にてホストを検索するための条件を示す検索条件情報が受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、
通知情報生成手段が、前記特定ステップにおいて特定された前記ホスト情報に対応するホストである旨を通知するための通知情報を生成する通知情報生成ステップと、を含み、
前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、
前記通信ステップにおいて、前記通知情報生成ステップにおいて生成された前記通知情報を前記特定ステップにおいて特定された前記ホスト情報に対応する前記ホスト側装置に送信する、
情報提供方法。
【請求項９】
クライアント側装置及び複数のホスト側装置の各々と通信可能に接続された情報提供システムに実行させるための情報提供プログラムであって、
コンピュータを、
前記クライアント側装置又は前記複数のホスト側装置との相互間で通信を行うための通信手段と、
ホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、
として機能させるための情報提供プログラムであり、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信する、
情報提供プログラム。
【請求項１０】
情報提供システム及び複数のホスト側装置の各々と通信可能に接続されたクライアント側装置に実行させるためのクライアント側プログラムであって、
コンピュータを、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
として機能させるためのクライアント側プログラムであり、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力する、
クライアント側プログラム。
【請求項１１】
クライアント側装置及び情報提供システムと通信可能に接続されたホスト側装置に実行させるためのホスト側プログラムであって、
コンピュータを、
前記クライアント側装置又は前記情報提供システムとの相互間で通信を行うためのホスト側通信手段と、
クライアントに対してサービスを提供できるか否かの回答を示す回答情報を生成する回答情報生成手段と、
当該ホスト側装置に関する各種情報を出力するホスト側出力手段と、
として機能させるためのホスト側プログラムであり、
前記ホスト側出力手段は、前記情報提供システムにて特定されたホストである旨を通知するための通知情報が前記ホスト側通信手段にて受信された場合に、当該通知情報を出力し、
前記回答情報生成手段は、前記ホスト側出力手段にて出力された前記通知情報に対する前記回答情報であって、所定方法で特定された前記回答を示す前記回答情報を生成し、
前記ホスト側通信手段は、前記回答情報生成手段にて生成された前記回答情報を前記クライアント側装置又は前記情報提供システムに送信する、
ホスト側プログラム。
【発明の詳細な説明】
【技術分野】
【０００１】
本発明は、検索システム、情報提供システム、クライアント側装置、ホスト側装置、情報提供方法、情報提供プログラム、クライアント側プログラム、及びホスト側プログラムに関する。
【背景技術】
【０００２】
従来、患者が救急車によって病院へ救急搬送された場合には、搬送先の病院において患者の症状が判断され、その後該患者に対する治療が実施される。ここで、この搬送先の病院において、診療装置の設備が不十分であることや治療を実施する医師が不在であること等により、患者の治療を実施することができない場合には、患者は別の病院へ搬送されることになる。この場合において、例えば、電話を用いて上記別の病院が見つかるまで検索すると、当該検索に多大な時間を要することにより患者の治療が遅れることから、患者の生命に危険が及ぶおそれがあった。
【０００３】
そこで、このような問題を解決するために、病院の収容状況に基づいて病院を検索し、当該検索した病院の予約を行うシステムが提案されている（例えば、特許文献１参照）。
【先行技術文献】
【特許文献】
【０００４】
【特許文献１】特開２００５−２８１号公報
【発明の概要】
【発明が解決しようとする課題】
【０００５】
しかしながら、上記従来の技術においては、上記検索した病院の医師が患者を受け入れることができる状態であるか否かが考慮されないことから、仮に病院の予約が行われたとしても、治療を実施する医師が手術中である場合には、患者に対して治療が実施されるまで多大な時間を要することになるので、検索性の観点から改善の余地があった。
【０００６】
本発明は、上記に鑑みてなされたものであって、病院の医師の如きホストの検索性を向上させることが可能となる、検索システム、情報提供システム、クライアント側装置、ホスト側装置、情報提供方法、情報提供プログラム、クライアント側プログラム、及びホスト側プログラムを提供することを目的とする。
【課題を解決するための手段】
【０００７】
請求項１に記載の検索システムは、クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、前記クライアント側装置は、前記複数のホスト側装置又は前記情報提供システムとの相互間で通信を行うためのクライアント側通信手段と、前記ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、を備え、前記複数のホスト側装置の各々は、前記クライアント側装置又は前記情報提供システムとの相互間で通信を行うためのホスト側通信手段と、前記サービスを提供できるか否かの回答を示す回答情報を生成する回答情報生成手段と、当該各ホスト側装置に関する各種情報を出力するホスト側出力手段と、を備え、前記情報提供システムは、前記クライアント側装置又は前記複数のホスト側装置との相互間で通信を行うための通信手段と、前記検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記クライアント側装置の前記検索条件情報生成手段は、前記取得手段にて前記生成用情報が取得された場合に、当該生成用情報に基づいて前記検索条件情報を生成し、前記クライアント側装置の前記クライアント側通信手段は、前記検索条件情報生成手段にて生成された前記検索条件情報を前記情報提供システムに送信し、前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、前記情報提供システムの前記通信手段は、前記通知情報生成手段にて生成された前記通知情報を前記特定手段にて特定された前記ホスト情報に対応する前記ホスト側装置に送信し、前記複数のホスト側装置の各々の前記ホスト側出力手段は、前記ホスト側通信手段にて前記通知情報が受信された場合に、当該通知情報を出力し、前記複数のホスト側装置の各々の前記回答情報生成手段は、前記ホスト側出力手段にて出力された前記通知情報に対する前記回答情報であって、所定方法で特定された前記回答を示す前記回答情報を生成し、前記複数のホスト側装置の各々の前記ホスト側通信手段は、前記回答情報生成手段にて生成された前記回答情報を前記クライアント側装置又は前記情報提供システムに送信し、前記クライアント側装置の前記クライアント側出力手段は、前記クライアント側通信手段にて前記回答情報が受信された場合に、当該回答情報を出力する。
【０００８】
請求項２に記載の情報提供システムは、クライアント側装置及び複数のホスト側装置の各々と通信可能に接続された情報提供システムであって、前記クライアント側装置又は前記複数のホスト側装置との相互間で通信を行うための通信手段と、ホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信する。
【０００９】
請求項３に記載の情報提供システムは、請求項２に記載の情報提供システムにおいて、前記サービスは、医療サービスであり、前記検索条件情報は、医師の出勤状態を示す出勤状態情報、患者の症例と関連する前記医師の診療分野を示す診療分野情報、又は、前記患者の位置と関連する前記医師の位置を示す位置情報を含む。
【００１０】
請求項４に記載の情報提供システムは、請求項３に記載の情報提供システムにおいて、前記情報提供システムは、前記医師の現在位置を示す医師現在位置情報及び前記医師が所属する医療施設の位置を示す医療施設位置情報が所定方法で取得された場合に、当該医師現在位置情報及び当該医療施設位置情報に基づいて、前記ホスト情報格納手段に格納されている前記検索条件情報のうちの前記出勤状態情報を更新する更新手段を備えた。
【００１１】
請求項５に記載の情報提供システムは、請求項２から４のいずれか一項に記載の情報提供システムにおいて、前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する。
【００１２】
請求項６に記載のクライアント側装置は、情報提供システム及び複数のホスト側装置の各々と通信可能に接続されたクライアント側装置であって、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、を備え、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力する。
【００１３】
請求項７に記載のホスト側装置は、クライアント側装置及び情報提供システムと通信可能に接続されたホスト側装置であって、前記クライアント側装置又は前記情報提供システムとの相互間で通信を行うためのホスト側通信手段と、クライアントに対してサービスを提供できるか否かの回答を示す回答情報を生成する回答情報生成手段と、当該ホスト側装置に関する各種情報を出力するホスト側出力手段と、を備え、前記ホスト側出力手段は、前記情報提供システムにて特定されたホストである旨を通知するための通知情報が前記ホスト側通信手段にて受信された場合に、当該通知情報を出力し、前記回答情報生成手段は、前記ホスト側出力手段にて出力された前記通知情報に対する前記回答情報であって、所定方法で特定された前記回答を示す前記回答情報を生成し、前記ホスト側通信手段は、前記回答情報生成手段にて生成された前記回答情報を前記クライアント側装置又は前記情報提供システムに送信する。
【００１４】
請求項８に記載の情報提供方法は、クライアント側装置及び複数のホスト側装置の各々と通信可能に接続された情報提供システムにおいて行われる情報提供方法であって、通信手段が、前記クライアント側装置又は前記複数のホスト側装置との相互間で通信を行うための通信ステップと、特定手段が、前記通信手段にてホストを検索するための条件を示す検索条件情報が受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、通知情報生成手段が、前記特定ステップにおいて特定された前記ホスト情報に対応するホストである旨を通知するための通知情報を生成する通知情報生成ステップと、を含み、前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、前記通信ステップにおいて、前記通知情報生成ステップにおいて生成された前記通知情報を前記特定ステップにおいて特定された前記ホスト情報に対応する前記ホスト側装置に送信する。
【００１５】
請求項９に記載の情報提供プログラムは、クライアント側装置及び複数のホスト側装置の各々と通信可能に接続された情報提供システムに実行させるための情報提供プログラムであって、コンピュータを、前記クライアント側装置又は前記複数のホスト側装置との相互間で通信を行うための通信手段と、ホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、として機能させるための情報提供プログラムであり、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信する。
【００１６】
請求項１０に記載のクライアント側プログラムは、情報提供システム及び複数のホスト側装置の各々と通信可能に接続されたクライアント側装置に実行させるためのクライアント側プログラムであって、コンピュータを、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、として機能させるためのクライアント側プログラムであり、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力する。
【００１７】
請求項１１に記載のホスト側プログラムは、クライアント側装置及び情報提供システムと通信可能に接続されたホスト側装置に実行させるためのホスト側プログラムであって、コンピュータを、前記クライアント側装置又は前記情報提供システムとの相互間で通信を行うためのホスト側通信手段と、クライアントに対してサービスを提供できるか否かの回答を示す回答情報を生成する回答情報生成手段と、当該ホスト側装置に関する各種情報を出力するホスト側出力手段と、として機能させるためのホスト側プログラムであり、前記ホスト側出力手段は、前記情報提供システムにて特定されたホストである旨を通知するための通知情報が前記ホスト側通信手段にて受信された場合に、当該通知情報を出力し、前記回答情報生成手段は、前記ホスト側出力手段にて出力された前記通知情報に対する前記回答情報であって、所定方法で特定された前記回答を示す前記回答情報を生成し、前記ホスト側通信手段は、前記回答情報生成手段にて生成された前記回答情報を前記クライアント側装置又は前記情報提供システムに送信する。
【発明の効果】
【００１８】
請求項１に記載の検索システム、請求項２に記載の情報提供システム、請求項６に記載のクライアント側装置、請求項７に記載のホスト側装置、請求項８に記載の情報提供方法、請求項９に記載の情報提供プログラム、請求項１０に記載のクライアント側プログラム、又は請求項１１に記載のホスト側プログラムによれば、クライアント側装置のクライアント側通信手段は、検索条件情報生成手段にて生成された検索条件情報を情報提供システムに送信し、情報提供システムの特定手段は、通信手段にて検索条件情報が受信された場合に、ホスト情報格納手段に格納されているホスト情報の中から当該検索条件情報に対応するホスト情報を特定し、情報提供システムの通信手段は、通知情報生成手段にて生成された通知情報を特定手段にて特定されたホスト情報に対応するホスト側装置に送信するので、検索条件情報と一致する全てのホスト側装置に対して通知情報を一斉に送信することができ、当該ホスト側装置のホストに対して通知情報を迅速且つ効率的に提示することが可能となる。また、複数のホスト側装置の各々のホスト側通信手段は、回答情報生成手段にて生成された回答情報をクライアント側装置又は情報提供システムに送信し、クライアント側装置のクライアント側出力手段は、クライアント側通信手段にて回答情報が受信された場合に、当該回答情報を出力するので、クライアント側装置が検索条件情報と一致するホスト側装置から受信した少なくとも１つ以上の回答情報をクライアントに対して提示することができ、この回答情報に対応するホストの中から医療サービスを提供するホストを決めることが可能となる。以上のことから、従来技術と比べて、クライアントのニーズに合致するホストを迅速且つ効率的に検索することができるので、ホストの検索性を向上させることが可能となる。
【００１９】
請求項３に記載の情報提供システムによれば、サービスは、医療サービスであり、検索条件情報は、医師の出勤状態を示す出勤状態情報、患者の症例と関連する医師の診療分野を示す診療分野情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。
【００２０】
請求項４に記載の情報提供システムによれば、情報提供システムは、医師現在位置情報及び医療施設位置情報が所定方法で取得された場合に、当該医師現在位置情報及び当該医療施設位置情報に基づいて、ホスト情報格納手段に格納されている検索条件情報のうちの出勤状態情報を更新する更新手段を備えたので、ホストから出勤状態を示す通知を受け付けることなく、ホスト情報格納手段に格納されている出勤状態情報を更新することができ、ホストによる当該更新に関する作業の手間を省略することが可能となる。
【００２１】
請求項５に記載の情報提供システムによれば、情報提供システムの通信手段は、当該通信手段にて確定情報がクライアント側装置から受信された場合に、特定手段にて特定されたホスト情報に対応するホスト側装置の中から当該確定情報に対応するホスト側装置以外の他のホスト側装置に当該確定情報を送信するので、特定手段にて特定されたホスト側装置のホストのうちクライアントに対してサービスを提供しなかった他のホストに対して確定情報を提示することができ、他のホストが自己以外のホストによってクライアントに対してサービスが提供されたことを事後的に確認することが可能となる。
【図面の簡単な説明】
【００２２】
【図１】本発明の実施の形態に係る検索システムを概念的に示す図である。
【図２】クライアント側装置の電気的構成を示したブロック図である。
【図３】ホスト側装置の電気的構成を示したブロック図である。
【図４】情報提供装置の電気的構成を示したブロック図である。
【図５】ホストＤＢに格納された情報を例示する図である。
【図６】医療施設ＤＢに格納された情報を例示する図である。
【図７】実施の形態に係るクライアント側装置に関する検索処理のフローチャートである。
【図８】実施の形態に係る情報提供装置に関する検索処理のフローチャートである。
【図９】実施の形態に係るホスト側装置に関する検索処理のフローチャートである。
【図１０】実施の形態に係る情報提供装置に関する更新処理のフローチャートである。
【発明を実施するための形態】
【００２３】
以下に添付図面を参照して、この発明に係る検索システム、情報提供システム、クライアント側装置、ホスト側装置、情報提供方法、情報提供プログラム、クライアント側プログラム、及びホスト側プログラムの実施の形態を詳細に説明する。
【００２４】
［実施の形態の基本的概念］
まずは、実施の形態の基本的概念について説明する。
【００２５】
本発明に係る検索システムは、概略的には、クライアントに対してサービスを提供するホストを検索するシステムである。ここで、「クライアント」とは、ホストに対してサービスの依頼を行い、その提供を受けるものを意味する。また、「ホスト」とは、クライアントからサービスの依頼を受けて、その提供を行うものを意味する。また、「サービス」とは、クライアントがホストから享受する役務を意味し、例えば、医療サービス、コンサルティングサービス等を含む概念である。また、この検索システムとして機能する機器は、ホストを検索するための機器であって、例えば有線又は無線にて接続された複数の機器を含み、具体的には、クライアント側装置、ホスト側装置、及び情報提供装置を含む。このうち、「クライアント側装置」とは、クライアント又はクライアントの代わりにホストの検索を行うクライアント側補助者によって所持されている装置であり、例えば、携帯端末（一例として、スマートフォンやタブレット端末）又は据え置き型のパーソナルコンピュータ等を含む概念である。また、「ホスト側装置」とは、ホスト又はホストの業務を補助するホスト側補助者によって所持されている装置であり、例えば、携帯端末（一例として、スマートフォンやタブレット端末）又は据え置き型のパーソナルコンピュータ等を含む概念である。また、「情報提供装置」とは、基地局（図示省略）等に設けられた装置であり、例えば、据え置き型のサーバ等を含む概念である。以下、実施の形態では、サービスが医療サービスである場合において、患者（クライアント）が第１の医療施設に救急搬送されたものの、治療を実施する医師が手術中であること等のために医療サービス（具体的には、診療サービス）の提供を行うことができないことから、第１の医療施設とは異なる第２の医療施設に所属する医師であって、患者に対して医療サービスを提供することが可能な医師（ホスト。以下、「第２医師」と称する。）を検索する場合について説明する。また、クライアント側装置は、第１の医療施設に所属する医師（クライアント側補助者。以下、「第１医師」と称する。）によって所持されている装置とし、この第１医師が当該クライアント側装置を用いて患者に代わって第２医師を検索するものとして説明する。また、ホスト側装置は、第２医師によって所持されている装置として説明する。
【００２６】
［実施の形態の具体的内容］
続いて、実施の形態の具体的内容について説明する。
【００２７】
（構成）
まず、実施の形態に係る検索システムの構成について説明する。図１は、本発明の実施の形態に係る検索システムを概念的に示す図である。図１に示すように、検索システム１は、クライアント側装置１０と、複数のホスト側装置２０と、情報提供装置３０とを備えており、これらクライアント側装置１０と、複数のホスト側装置２０と、情報提供装置３０とはネットワーク２を介して相互に通信可能に接続されている。なお、複数のホスト側装置２０は、相互に同様に構成することができるため、以下では、１つのホスト側装置２０の構成について説明するものとし、他のホスト側装置２０の構成についてはその説明を省略する。
【００２８】
（構成−クライアント側装置）
次に、クライアント側装置１０の構成について説明する。図２は、クライアント側装置１０の電気的構成を示したブロック図である。クライアント側装置１０は、後述する検索条件情報を送信する装置であり、図２に示すように、現在位置取得部１１、クライアント側通信部１２、タッチパッド１３、ディスプレイ１４、スピーカ１５、制御部１６、及びデータ記録部１７を備えて構成されている。なお、このクライアント側装置１０は、例えば、第１の医療施設３に所属する第１医師によって所持されている公知の携帯端末等によって構成することができるので、その詳細な説明は省略する。
【００２９】
（構成−クライアント側装置−現在位置取得部）
現在位置取得部１１は、衛星から受信したＧＰＳ信号に基づいて患者又は第１医師の現在位置を検出する現在位置取得手段である。この現在位置取得部１１は、例えば、ＧＰＳ受信機を用いて構成されており、現在の患者（又は第１医師）の位置（座標）及び方位等を公知の方法にて検出する（なお、後述するホスト側装置２０の現在位置取得部２１についても同様とする）。
【００３０】
（構成−クライアント側装置−クライアント側通信部）
クライアント側通信部１２は、複数のホスト側装置２０又は情報提供装置３０との相互間で通信を行うためのクライアント側通信手段であり、例えば、有線通信網や移動体無線通信網を用いて通信を行う公知の通信手段を用いて構成されている（なお、後述するホスト側装置２０のホスト側通信部２２、情報提供装置３０の通信部３１についても同様とする）。
【００３１】
（構成−クライアント側装置−タッチパッド）
タッチパッド１３は、第１医師の指等で押圧されることにより、当該第１医師から各種操作入力を受け付ける操作手段である。このタッチパッド１３の具体的な構成は任意であるが、例えば、抵抗膜方式や静電容量方式等による操作位置検出手段を備えた公知のものを用いることができる（なお、後述するホスト側装置２０のタッチパッド２３についても同様とする）。
【００３２】
（構成−クライアント側装置−ディスプレイ）
ディスプレイ１４は、制御部１６の制御に基づいて各種の画像を表示する表示手段である。このディスプレイ１４の具体的な構成は任意であるが、例えば、公知の液晶ディスプレイや有機ＥＬディスプレイの如きフラットパネルディスプレイ等を用いることができる（なお、後述するホスト側装置２０のディスプレイ２４についても同様とする）。なお、上記のタッチパッド１３と当該ディスプレイ１４をタッチパッド１３として一体形成しても構わない。
【００３３】
（構成−クライアント側装置−スピーカ）
スピーカ１５は、制御部１６の制御に基づいて各種の音声を出力する出力手段である。スピーカ１５より出力される音声の具体的な態様は任意であり、必要に応じて生成された合成音声や、予め録音された音声を出力することができる（なお、後述するホスト側装置２０のスピーカ２５についても同様とする）。なお、上述した「ディスプレイ１４」と、「スピーカ１５」とは、特許請求の範囲における「クライアント側出力手段」に対応する。
【００３４】
（構成−クライアント側装置−制御部）
制御部１６は、クライアント側装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係るクライアント側プログラムは、任意の記録媒体又はネットワーク２を介してクライアント側装置１０にインストールされることで、制御部１６の各部を実質的に構成する。
【００３５】
また、この制御部１６は、図２に示すように、機能概念的に、取得部１６ａ及び検索条件情報生成部１６ｂを備えている。取得部１６ａは、後述する生成用情報を取得する取得手段である。検索条件情報生成部１６ｂは、後述する検索条件情報を生成する検索条件情報生成手段である。なお、この制御部１６によって実行される処理の詳細については後述する。
【００３６】
（構成−クライアント側装置−データ記録部）
データ記録部１７は、クライアント側装置１０の動作に必要なプログラム及び各種のデータ（例えば、地図情報）を記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ  Ｒｏｍ、ＵＳＢメモリ、ＳＤカードの如き電気的記録媒体を含む、その他の任意の記録媒体を用いることができる（なお、後述するホスト側装置２０のデータ記録部２７、及び後述する情報提供装置３０のデータ記録部３３についても同様とする）。
【００３７】
（構成−ホスト側装置）
次に、ホスト側装置２０の構成について説明する。図３は、ホスト側装置２０の電気的構成を示したブロック図である。ホスト側装置２０は、後述する回答情報を送信する装置であり、図３に示すように、現在位置取得部２１、ホスト側通信部２２、タッチパッド２３、ディスプレイ２４、スピーカ２５、制御部２６、及びデータ記録部２７を備えて構成されている。なお、このホスト側装置２０は、例えば、第２の医療施設４に所属する第２医師によって所持されている公知の携帯端末等によって構成することができるので、その詳細な説明は省略する。
【００３８】
（構成−ホスト側装置−現在位置取得部、ホスト側通信部、タッチパッド、ディスプレイ、スピーカ）
現在位置取得部２１は、衛星から受信したＧＰＳ信号に基づいて第２医師の現在位置を検出する現在位置取得手段である。ホスト側通信部２２は、クライアント側装置１０又は情報提供装置３０との相互間で通信を行うためのホスト側通信手段である。タッチパッド２３は、第２医師の指等で押圧されることにより、当該第２医師から各種操作入力を受け付ける操作手段である。ディスプレイ２４は、制御部２６の制御に基づいて各種の画像を表示する表示手段である。スピーカ２５は、制御部２６の制御に基づいて各種の音声を出力する出力手段である。なお、上述した「ディスプレイ２４」と、「スピーカ２５」とは、特許請求の範囲における「ホスト側出力手段」に対応する。
【００３９】
（構成−ホスト側装置−制御部）
制御部２６は、ホスト側装置２０を制御する制御手段であり、具体的には、実施の形態に係るホスト側プログラムが任意の記録媒体又はネットワーク２を介してホスト側装置２０にインストールされることで、制御部２６の各部を実質的に構成する。
【００４０】
また、この制御部２６は、図３に示すように、機能概念的に、回答情報生成部２６ａを備えている。回答情報生成部２６ａは、後述する回答情報を生成する回答情報生成手段である。なお、この制御部２６によって実行される処理の詳細については後述する。
【００４１】
（構成−ホスト側装置−データ記録部）
データ記録部２７は、ホスト側装置２０の動作に必要なプログラム及び各種のデータ（例えば、自己の後述するホスト情報）を記録する記録手段である。
【００４２】
（構成−情報提供装置）
次に、情報提供装置３０の構成について説明する。図４は、情報提供装置３０の電気的構成を示したブロック図である。情報提供装置３０は、後述する通知情報を送信する情報提供システムであり、図４に示すように、通信部３１、制御部３２、及びデータ記録部３３を備えて構成されている。なお、この情報提供装置３０は、例えば、基地局に設けられた公知のサーバ等によって構成することができるので、その詳細な説明は省略する。
【００４３】
（構成−情報提供装置−通信部）
通信部３１は、クライアント側装置１０又は複数のホスト側装置２０との相互間で通信を行うための通信手段である。
【００４４】
（構成−情報提供装置−制御部）
制御部３２は、情報提供装置３０を制御する制御手段であり、具体的には、実施の形態に係る情報提供プログラムが任意の記録媒体又はネットワーク２を介して情報提供装置３０にインストールされることで、制御部３２の各部を実質的に構成する。
【００４５】
また、この制御部３２は、図４に示すように、機能概念的に、特定部３２ａ、通知情報生成部３２ｂ、及び更新部３３ｃを備えている。特定部３２ａは、後述するホストＤＢ３３ａに格納されている後述するホスト情報の中から後述する検索条件情報に対応するホスト情報を特定する特定手段である。通知情報生成部３２ｂは、後述する通知情報を生成する通知情報生成手段である。更新部３３ｃは、後述する医師現在位置情報及び後述する医療施設位置情報が所定方法で取得された場合に、当該医師現在位置情報及び当該医療施設位置情報に基づいて、後述するホストＤＢ３３ａに格納されている後述する出勤状態情報を更新する更新手段である。なお、この制御部３２によって実行される処理の詳細については後述する。
【００４６】
（構成−情報提供装置−データ記録部）
データ記録部３３は、情報提供装置３０の動作に必要なプログラム及び各種のデータを記録する記録手段であり、図４に示すように、ホストデータベース３３ａ（以下、データベースを「ＤＢ」と称する）、及び医療施設ＤＢ３３ｂを備えている。
【００４７】
ホストＤＢ３３ａは、検索条件情報と、ホスト情報とを相互に関連付けて格納するホスト情報格納手段である。ここで、「検索条件情報」とは、第２医師（ホスト）を検索するための条件を示す情報であり、実施の形態では、後述する出勤状態情報、後述する診療分野情報、後述する位置情報等を含む概念である。また、「ホスト情報」とは、第２医師（ホスト）を特定する情報であり、実施の形態では、後述するホスト識別情報、後述するホスト名情報等を含む概念である。
【００４８】
図５は、ホストＤＢ３３ａに格納された情報を例示する図である。図５に示すように、ホストＤＢ３３ａは、項目「出勤状態」、項目「診療分野」、項目「位置」、項目「ホストＩＤ」、及び項目「ホスト名」と、各項目に対応する情報とを、相互に関連付けて格納する。このうち、項目「出勤状態」に対応する情報は、医師の出勤状態を示す出勤状態情報である。ここで、「出勤状態」とは、医師の出勤の有無を示す状態を意味し、実施の形態では、医師が出勤している状態（以下、「出勤中状態」と称する）、医師が欠勤している状態（以下、「欠勤中状態」と称する）、医師が休憩している状態（以下、「休憩中状態」と称する）等を含む概念であると説明する。項目「診療分野」に対応する情報は、患者の症例と関連する医師の診療分野を示す診療分野情報である。項目「位置」に対応する情報は、患者の位置と関連する医師の位置を示す位置情報であり、実施の形態では、項目「緯度」に対応して格納される情報である医師の緯度と、項目「経度」に対応して格納される情報である医師の経度とを含んで構成されている。項目「ホストＩＤ」に対応する情報は、第２医師（ホスト）を一意に識別するためのホスト識別情報である。項目「ホスト名」に対応する情報は、第２医師（ホスト）の名称を特定するホスト名情報である。
【００４９】
医療施設ＤＢ３３ｂは、医師が所属する医療施設に関する情報を格納する医療施設情報格納手段である。図６は、医療施設ＤＢ３３ｂに格納された情報を例示する図である。図６に示すように、医療施設ＤＢ３３ｂは、項目「ホストＩＤ」、項目「医療施設名」、及び項目「医療施設位置」と、各項目に対応する情報とを、相互に関連付けて格納する。このうち、項目「ホストＩＤ」に対応する情報は、ホスト識別情報である。項目「医療施設名」に対応する情報は、医療施設の名称を特定する医療施設名情報である。項目「医療施設位置」に対応する情報は、医療施設の位置を示す医療施設位置情報であり、実施の形態では、項目「緯度」に対応して格納される情報である医療施設の緯度と、項目「経度」に対応して格納される情報である医療施設の経度とを含んで構成されている。
【００５０】
（処理）
次に、このように構成された検索システム１によって実行される処理について説明する。
この処理は、検索処理と、更新処理とに大別される。以下、これら検索処理及び更新処理の各々について詳細に説明する。
【００５１】
（処理−検索処理）
まず、検索処理について説明する。図７は、実施の形態に係るクライアント側装置１０に関する検索処理のフローチャートである（以下の各処理の説明ではステップを「Ｓ」と略記する）。図８は、実施の形態に係る情報提供装置３０に関する検索処理のフローチャートである。図９は、実施の形態に係るホスト側装置２０に関する検索処理のフローチャートである。検索処理は、概略的には、患者（クライアント）に対してサービスを提供する第２医師（ホスト）を検索する処理である。また、この検索処理を実行するタイミングは任意であるが、実施の形態においては、クライアント側装置１０、複数のホスト側装置２０、及び情報提供装置３０に電源が投入された後に起動されるものとして説明する。
【００５２】
検索処理が起動されると、図７から図９に示すように、後述する通知情報を第２医師に対して提示できるように、クライアント側装置１０の制御部１６はＳＡ１からＳＡ３の処理を行い、情報提供装置３０の制御部３２はＳＢ１からＳＢ４の処理を行い、且つ、ホスト側装置２０の制御部２６はＳＣ１からＳＣ２の処理を行う。
【００５３】
まず、図７に示すように、ＳＡ１においてクライアント側装置１０の取得部１６ａは、生成用情報を取得したか否かを判定する。ここで、「生成用情報」とは、検索条件情報を生成するための情報であり、実施の形態では、出勤状態生成用情報、診療分野生成用情報、位置生成用情報等を含む概念である。このうち、「出勤状態生成用情報」とは、検索条件情報のうちの出勤状態情報を生成するための情報であり、実施の形態では、第２医師の出勤状態を示す情報として説明する。また、「診療分野生成用情報」とは、検索条件情報のうちの診療分野情報を生成するための情報であり、実施の形態では、第１医師によって判断された患者の症状を示す情報として説明する。また、「位置生成用情報」とは、検索条件情報のうちの位置情報を生成するための情報であり、実施の形態では、患者又は第１医師の現在位置を示す情報として説明する。
【００５４】
また、この生成用情報の取得方法については任意であるが、例えば、以下に示す方法により取得してもよい。すなわち、生成用情報のうちの出勤状態生成用情報については、所定のタイミングが到来した場合（一例として、クライアント側装置１０の第１医師によってタッチパッド１３を介して所定操作が受け付けられたタイミングが到来した場合等）に、ディスプレイ１４の画面上に表示領域（以下、「検索表示領域」と称する）を生成し、当該生成した検索表示領域に出勤状態生成用情報を一覧表示させ、これら出勤状態生成用情報の中からいずれか１つをタッチパッド１３を介してユーザが選択することにより取得する。あるいは、これに限られず、第１医師によってタッチパッド１３を介して入力された情報を出勤状態生成用情報として取得したり、又は、データ記録部１７又は外部装置から取得する（なお、診療分野生成用情報の取得方法についても同様とする）。また、生成用情報のうちの位置生成用情報については、上記所定のタイミングが到来した場合に、データ記録部１７にあらかじめ格納されている地図情報の領域のうち、現在位置取得部１１から取得した患者又は第１医師の現在位置からあらかじめ設定された距離範囲（又は、第１医師によってタッチパッド１３を介して入力された距離範囲）の領域を特定し、当該特定した領域を示す情報（例えば、患者の現在位置から５ｋｍ以内の領域を示す情報等）を位置生成用情報として取得する。
【００５５】
そして、クライアント側装置１０の取得部１６ａは、上記生成用情報が取得されるまで待機し（ＳＡ１、Ｎｏ）、上記生成用情報が取得された場合（ＳＡ１、Ｙｅｓ）にはＳＡ２に移行する。
【００５６】
ＳＡ２においてクライアント側装置１０の検索条件情報生成部１６ｂは、ＳＡ１にて取得された生成用情報に基づいて検索条件情報を生成する。この検索条件情報の生成方法については任意であるが、例えば、以下に示す方法により生成してもよい。すなわち、検索条件情報のうちの出勤状態情報については、上記取得された出勤状態生成用情報を出勤状態情報として生成する。また、検索条件情報のうちの診療分野情報については、データ記録部１７に格納されている図示しない診療分野テーブルであって、症状情報と診療分野を示す情報を相互に関連付けて格納している診療分野テーブルの中から、上記取得された診療分野生成用情報（上記患者の症状を示す情報）に対応する診療分野を示す情報を特定し、当該特定した情報を診療分野情報として生成する（一例として、診療分野生成用情報＝「心筋梗塞」である場合に、診療分野情報＝「循環器内科」として生成する）。あるいは、これに限られず、上記取得された診療分野生成用情報に対応する診療分野を示す情報を外部装置から取得し、当該取得した情報を診療分野情報として生成する。また、検索条件情報のうちの位置情報については、情報提供装置３０のホストＤＢ３３ａに格納されている位置情報（又は、クライアント側装置１０とリンク付けされているホスト側装置２０から所定のタイミングで取得される位置情報）の中から、上記取得された位置生成用情報で示される上記領域内の座標に対応する位置情報（すなわち、患者の位置と関連する位置を示す位置情報）を抽出し、当該抽出した情報を位置情報として生成する。
【００５７】
ＳＡ３においてクライアント側装置１０の制御部１６は、クライアント側通信部１２によって、ＳＡ２にて生成された検索条件情報を情報提供装置３０に送信させる。この検索条件情報の送信方法については任意であるが、実施の形態では、上記検索条件情報と併せて患者関連情報も送信する。ただし、これに限られず、例えば、上記検索条件情報のみを送信してもよい。ここで、「患者関連情報」とは、患者に関連する情報を意味し、例えば、患者の年齢を示す情報、患者の性別を示す情報、患者の病歴を示す情報、患者における第１の医療施設３で実施された診断結果を示す情報（一例として心電図を示す画像情報）等を含む概念である。
【００５８】
また、図８に示すように、ＳＢ１において情報提供装置３０の制御部３２は、通信部３１によって、ＳＡ３にて送信された検索条件情報（実施の形態では、検索条件情報及び患者関連情報）が受信されたか否かを判定する。そして、情報提供装置３０の制御部３２は、上記検索条件情報が受信されるまで待機し（ＳＢ１、Ｎｏ）、上記検索条件情報が受信された場合（ＳＢ１、Ｙｅｓ）にはＳＢ２へ移行する。
【００５９】
ＳＢ２において情報提供装置３０の特定部３２ａは、ホストＤＢ３３ａに格納されているホスト情報（ホスト識別情報、ホスト名情報）の中からＳＢ１にて受信された検索条件情報に対応するホスト情報を特定する。ここで、ホスト情報の特定方法については任意であるが、実施の形態においては、ホストＤＢ３３ａに格納されているホスト情報の中から上記受信された検索条件情報に含まれる出勤状態情報、診療分野情報、及び位置情報とすべて一致するホスト情報を特定する。一例として、上記受信された検索条件情報に含まれる出勤状態情報＝「出勤中状態」、診療分野情報＝「循環器内科」、位置情報＝「３５．６８０（緯度）、１３９．７７２（経度）」、「３５．６７３（緯度）、１３９．７６０（経度）」、「３５．６７２（緯度）、１３９．７７１（経度）」、「３５．６６５（緯度）、１３９．７５７（経度）」である場合には、図５に示すホストＤＢ３３ａのホスト情報の中からホスト情報＝「１００１（ホスト識別情報）、ヤマダタロウ（ホスト名情報）」、「３００１（ホスト識別情報）、サトウイチロウ（ホスト名情報）」、「４００１（ホスト識別情報）、スズキジロウ（ホスト名情報）」を特定する。ただし、これに限られず、例えば、ホストＤＢ３３ａに格納されているホスト情報の中から上記受信された検索条件情報に含まれる出勤状態情報、診療分野情報、又は位置情報のいずれか１つ（又はいずれか２つ）と一致するホスト情報を特定してもよい。
【００６０】
図８に戻り、ＳＢ３において情報提供装置３０の通知情報生成部３２ｂは、通知情報を生成する。ここで、「通知情報」とは、ＳＢ２にて特定されたホスト情報に対応する第２医師（ホスト）である旨を通知するための情報を意味する。また、この通知情報の生成方法については任意であるが、例えば、ＳＢ２にて特定されたホスト情報（ホスト識別情報、ホスト名情報）と、データ記録部３３にあらかじめ格納されている定型メッセージ情報（テキスト情報又は音声情報）とを組み合わせることにより生成してもよい。一例として、「×××様は、医療サービスを提供するホストの候補に選ばれました」の如きテキスト情報や音声情報（なお、「×××」にはホスト情報（具体的には、ホスト識別情報又はホスト名情報の少なくともいずれか１つ）が組み込まれる）等を生成する。
【００６１】
ＳＢ４において情報提供装置３０の制御部３２は、通信部３１によって、ＳＢ３にて生成された通知情報をＳＢ２にて特定されたホスト情報に対応するホスト側装置２０に送信させる。この通知情報の送信方法については任意であるが、実施の形態では、上記通知情報と併せてＳＢ１にて受信された患者関連情報も送信する。ただし、これに限られず、例えば、上記通知情報のみを送信してもよい。
【００６２】
また、図９に示すように、ＳＣ１においてホスト側装置２０の制御部２６は、ホスト側通信部２２によって、ＳＢ４にて送信された通知情報（実施の形態では、通知情報及び患者関連情報）が受信されたか否かを判定する。そして、ホスト側装置２０の制御部２６は、上記通知情報が受信されるまで待機し（ＳＣ１、Ｎｏ）、上記通知情報が受信された場合（ＳＣ１、Ｙｅｓ）にはＳＣ２へ移行する。
【００６３】
ＳＣ２においてホスト側装置２０の制御部２６は、ＳＣ１にて受信された通知情報をディスプレイ２４又はスピーカ２５によって出力させる。この通知情報の出力方法については任意であるが、例えば、この通知情報が受信されてから所定時間経過するまでの間において、ディスプレイ２４の画面上に表示領域（以下、「通知表示領域」と称する）を生成し、当該生成した通知表示領域にこの通知情報を継続的又は断続的に表示したり、あるいは、スピーカ２５によってこの通知情報を継続的又は断続的に音声出力させてもよい。なお、実施の形態では、通知情報と併せて患者関連情報が受信されることから、例えば、上記通知表示領域において、患者関連情報及び通知情報を関連付けて表示させてもよい。
【００６４】
以上のような処理により、検索条件情報と一致する全てのホスト側装置２０に対して通知情報を一斉に送信することができるので、当該ホスト側装置２０を所持している第２医師に対して通知情報を迅速且つ効率的に提示することが可能となる。
【００６５】
次に、図７、図９に示すように、後述する回答情報を第１医師に対して提示できるように、クライアント側装置１０の制御部１６はＳＡ４からＳＡ５の処理を行い、且つ、ホスト側装置２０の制御部２６はＳＣ３からＳＣ４の処理を行う。
【００６６】
まず、図９に示すように、ＳＣ３においてホスト側装置２０の回答情報生成部２６ａは、ＳＣ２にて出力された通知情報に対する回答情報を生成する。ここで、「回答情報」とは、医療サービス（サービス）を提供できるか否かの回答を示す情報を意味する。また、この回答情報の生成方法については任意であるが、例えば、ディスプレイ２４の画面上に表示領域（以下、「回答生成表示領域」と称する）を生成し、当該生成した回答生成表示領域に医療サービスを提供できる旨の回答を示す情報と医療サービスを提供できない旨の回答を示す情報とを表示させ、これら情報の中からいずれか１つをタッチパッド２３を介して第２医師が選択（特定）し、当該特定した情報とＳＣ１にて受信された通知情報に含まれるホスト情報とに基づいて生成してもよい。一例として、「×××様は、医療サービスを提供できます」の如きテキスト情報や音声情報等を生成する。あるいは、これに限られず、データ記録部２７にあらかじめ格納されている上記回答を示す情報（医療サービスを提供できる旨の回答を示す情報又は医療サービスを提供できない旨の回答を示す情報のいずれか１つ）と、上記通知情報に含まれるホスト情報に対応する部分とに基づいて生成してもよい。
【００６７】
ＳＣ４においてホスト側装置２０の制御部２６は、ホスト側通信部２２によって、ＳＣ３にて生成された回答情報をクライアント側装置１０に送信させる。
【００６８】
図７に戻り、ＳＡ４においてクライアント側装置１０の制御部１６は、クライアント側通信部１２によって、ＳＣ４にて送信された回答情報が受信されたか否かを判定する。そして、クライアント側装置１０の制御部１６は、上記回答情報が受信されるまで待機し（ＳＡ４、Ｎｏ）、上記回答情報が受信された場合（ＳＡ４、Ｙｅｓ）にはＳＡ５へ移行する。
【００６９】
ＳＡ５においてクライアント側装置１０の制御部１６は、ＳＡ４にて受信された回答情報をディスプレイ１４又はスピーカ１５によって出力させる。この回答情報の出力方法については任意であるが、例えば、この回答情報が受信されてから所定時間経過するまでの間において、ディスプレイ１４の画面上に表示領域（以下、「回答表示領域」と称する）を生成し、当該生成した回答表示領域にこの回答情報を継続的又は断続的に表示したり、あるいは、スピーカ１５によってこの回答情報を継続的又は断続的に音声出力させてもよい。
【００７０】
以上のような処理により、クライアント側装置１０が検索条件情報と一致するホスト側装置２０から受信した少なくとも１つ以上の回答情報を第１医師（又は患者）に対して提示することができるので、上記提示された回答情報に対応する第２医師の中から医療サービスを提供する第２医師を決めることが可能となる。
【００７１】
続いて、図７から図９に示すように、後述する確定情報を第２医師に対して提示できるように、クライアント側装置１０の制御部１６はＳＡ６からＳＡ８の処理を行い、情報提供装置３０の制御部３２はＳＢ５からＳＢ６の処理を行い、且つ、ホスト側装置２０の制御部２６はＳＣ５からＳＣ７の処理を行う。
【００７２】
まず、図７に示すように、ＳＡ６においてクライアント側装置１０の制御部１６は、医療サービスを提供する第２医師（ホスト）が確定されたか否かを判定する。この第２医師の確定方法については任意であるが、例えば、ＳＡ５にて回答表示領域に表示された回答情報の中からいずれか１つをタッチパッド１３を介して第１医師が任意に選択することにより（又は、上記表示された回答情報の中から、第１医師が当該回答情報に対応する第２医師の少なくとも一部に電話等で連絡することで医療サービスを提供するという合意が得られた第２医師に対応する回答情報を、タッチパッド１３を介して第１医師が選択することにより）、当該選択した回答情報に対応する第２医師を確定対象とすべき第２医師として確定してもよい。そして、クライアント側装置１０の制御部１６は、上記第２医師が確定されるまで待機し（ＳＡ６、Ｎｏ）、上記第２医師が確定された場合（ＳＡ６、Ｙｅｓ）にはＳＡ７へ移行する。
【００７３】
ＳＡ７においてクライアント側装置１０の制御部１６は、確定情報を生成する。ここで、「確定情報」とは、医療サービス（サービス）を提供する第２医師（ホスト）が確定された旨を示す情報を意味する。また、この確定情報の生成方法については任意であるが、例えば、ＳＡ６にて確定された第２医師に対応する回答情報に含まれるホスト情報と、データ記録部１７にあらかじめ格納されている定型メッセージ情報（テキスト情報又は音声情報）とを組み合わせることにより生成してもよい。一例として、「医療サービスを提供するホストが×××様に確定しました」の如きテキスト情報や音声情報等を生成する。
【００７４】
ＳＡ８においてクライアント側装置１０の制御部１６は、クライアント側通信部１２によって、ＳＡ７にて生成された確定情報を情報提供装置３０に送信させる。これにて、クライアント側装置１０の制御部１６は、検索処理を終了する。
【００７５】
また、図８に示すように、ＳＢ５において情報提供装置３０の制御部３２は、通信部３１によって、ＳＡ８にて送信された確定情報が受信されたか否かを判定する。そして、情報提供装置３０の制御部３２は、上記確定情報が受信されるまで待機し（ＳＢ５、Ｎｏ）、上記確定情報が受信された場合（ＳＢ５、Ｙｅｓ）にはＳＢ６へ移行する。
【００７６】
ＳＢ６において情報提供装置３０の制御部３２は、通信部３１によって、ＳＢ２にて特定されたホスト情報に対応するホスト側装置２０の中から、少なくともＳＢ５にて受信された確定情報に対応するホスト側装置２０以外の他のホスト側装置２０に当該確定情報を送信させる。この確定情報の送信方法については任意であるが、実施の形態では、ＳＢ２にて特定されたホスト情報に対応するホスト側装置２０に確定情報を送信する（すなわち、ＳＢ２にて特定されたホスト情報に対応するホスト側装置２０の中から、上記確定情報に含まれるホスト情報に対応するホスト側装置２０と、それ以外の他のホスト側装置２０とに確定情報を送信する）。ただし、これに限られず、例えば、上述したように、ＳＡ６において電話等により確定対象とすべき第２医師と医療サービスを提供するという合意が得られている旨を示す情報が確定情報に含まれている場合には、ＳＢ２にて特定されたホスト情報の中から、ＳＢ５にて受信された確定情報に含まれるホスト情報以外の他のホスト情報を特定し、当該特定したホスト情報に対応するホスト側装置２０のみに確定情報を送信してもよい。これにて、情報提供装置３０の制御部３２は、検索処理を終了する。
【００７７】
また、図９に示すように、ＳＣ５においてホスト側装置２０の制御部２６は、ホスト側通信部２２によって、ＳＢ６にて送信された確定情報が受信されたか否かを判定する。そして、ホスト側装置２０の制御部２６は、上記確定情報が受信されたと判定された場合（ＳＣ５、Ｙｅｓ）にはＳＣ６へ移行し、上記確定情報が受信されたと判定されなかった場合（ＳＣ５、Ｎｏ）にはＳＣ７へ移行する。
【００７８】
ＳＣ６においてホスト側装置２０の制御部２６は、ＳＣ５にて受信された確定情報をディスプレイ２４又はスピーカ２５によって出力させる。この確定情報の出力方法については任意であるが、例えば、この確定情報が受信されてから所定時間経過するまでの間において、ディスプレイ２４の画面上に表示領域（以下、「確定表示領域」と称する）を生成し、当該生成した確定表示領域にこの確定情報を継続的又は断続的に表示したり、あるいは、スピーカ２５によってこの確定情報を継続的又は断続的に音声出力させてもよい。その後、ホスト側装置２０の制御部２６は、検索処理を終了する。
【００７９】
ＳＣ７においてホスト側装置２０の制御部２６は、ＳＣ４の処理が行われてから所定時間が経過したか否かを判定する。そして、ホスト側装置２０の制御部２６は、上記所定時間が経過したと判定されていない場合（ＳＣ７、Ｎｏ）にはＳＣ５へ移行し、上記所定時間が経過したと判定された場合（ＳＣ７、Ｙｅｓ）には、検索処理を終了する。
【００８０】
以上のような処理により、ＳＢ３にて特定されたホスト側装置２０の第２医師（ホスト）のうち患者（クライアント）に対して医療サービスを提供しなかった他の第２医師に対して確定情報を提示することができるので、他の第２医師が自己以外の第２医師によって患者に対して医療サービスが提供されたことを事後的に確認することが可能となる。
【００８１】
また、このような検索処理により、従来技術と比べて、患者（クライアント）のニーズに合致する第２医師（ホスト）を迅速且つ効率的に検索することができるので、第２医師の検索性を向上させることが可能となる。
【００８２】
（処理−更新処理）
まず、更新処理について説明する。図１０は、実施の形態に係る情報提供装置３０に関する更新処理のフローチャートである。更新処理は、情報提供装置３０のホストＤＢ３３ａに格納されている検索条件情報（特に、出勤状態情報及び位置情報）を更新する処理である。また、この更新処理を実行するタイミングは任意であるが、実施の形態においては、情報提供装置３０及び少なくとも１つ以上のホスト側装置２０に電源が投入された後に起動され、更新処理と並行して実行されるものとして説明する。
【００８３】
更新処理が起動されると、図１０に示すように、ＳＤ１において情報提供装置３０の制御部３２は、通信部３１によって、所定のタイミングでホスト側装置２０から送信される当該ホスト側装置２０に関するホスト情報及び医師現在位置情報を取得（受信）したか否かを判定する。ここで、「医師現在位置情報」は、ホスト側装置２０の現在位置取得部２１にて取得された第２医師の現在位置を示す情報を意味する。そして、情報提供装置３０の制御部３２は、上記ホスト情報及び医師現在位置情報が取得されるまで待機し（ＳＤ１、Ｎｏ）、上記ホスト情報及び医師現在位置情報が取得された場合（ＳＤ１、Ｙｅｓ）にはＳＤ２に移行する。
【００８４】
ＳＤ２において情報提供装置３０の制御部３２は、医療施設ＤＢ３３ｂに格納されている医療施設位置情報の中から、ＳＤ１にて取得されたホスト情報に対応する医療施設位置情報を取得する。
【００８５】
ＳＤ３において情報提供装置３０の制御部３２は、ＳＤ１にて取得されたホスト情報に対応する第２医師の出勤状態を特定する。この出勤状態の方法については任意であるが、実施の形態では、ＳＤ１にて取得された医師現在位置情報と、ＳＤ２にて取得された医療施設位置情報とに基づいて特定する。具体的には、上記医師現在位置情報の第２医師の位置が上記医療施設位置情報の医療施設の位置から所定距離以内（例えば、５００ｍ以内）に位置するか否かを判定し、上記所定距離以内に位置すると判定された場合には第２医師が出勤中状態と特定し、上記所定距離以内に位置しないと判定された場合には第２医師が欠勤中状態と特定する。
【００８６】
ＳＤ４において情報提供装置３０の更新部３３ｃは、ＳＤ１にて取得された医師現在位置情報及びＳＤ２にて取得された医療施設位置情報に基づいて、情報提供装置３０のホストＤＢ３３ａに格納されている出勤状態情報及び位置情報を更新する。ここで、出勤状態情報の更新方法については、実施の形態では、ＳＤ３にて特定された第２医師の出勤状態を示す情報を、ホストＤＢ３３ａに格納されている出勤状態情報のうちのＳＤ１にて取得されたホスト情報に対応する出勤状態情報として更新する。また、位置情報の更新方法については、ＳＤ１にて取得された医師現在位置情報を、ホストＤＢ３３ａに格納されている位置情報のうちのＳＤ１にて取得されたホスト情報に対応する位置情報として更新する。その後、情報提供装置３０の制御部３２は、ＳＤ１に移行する。
【００８７】
このような更新処理により、ホストＤＢ３３ａに格納されている出勤状態情報及び位置情報の更新を自動的に行うことができる。特に、出勤状態情報の更新については、第２医師（ホスト）から出勤状態を示す通知を受け付けることなく更新することができるので、第２医師による当該更新に関する作業の手間を省略することが可能となる。
【００８８】
（実施の形態の効果）
このように実施の形態によれば、クライアント側装置１０のクライアント側通信部１２は、検索条件情報生成部１６ｂにて生成された検索条件情報を情報提供装置３０に送信し、情報提供装置３０の特定部３２ａは、通信部３１にて検索条件情報が受信された場合に、ホストＤＢ３３ａに格納されているホスト情報の中から当該検索条件情報に対応するホスト情報を特定し、情報提供装置３０の通信部３１は、通知情報生成部３２ｂにて生成された通知情報を特定部３２ａにて特定されたホスト情報に対応するホスト側装置２０に送信するので、検索条件情報と一致する全てのホスト側装置２０に対して通知情報を一斉に送信することができ、当該ホスト側装置２０の第２医師（ホスト）に対して通知情報を迅速且つ効率的に提示することが可能となる。また、複数のホスト側装置２０の各々のホスト側通信部２２は、回答情報生成部２６ａにて生成された回答情報をクライアント側装置１０に送信し、クライアント側装置１０のディスプレイ１４又はスピーカ１５は、クライアント側通信部１２にて回答情報が受信された場合に、当該回答情報を出力するので、クライアント側装置１０が検索条件情報と一致するホスト側装置２０から受信した少なくとも１つ以上の回答情報を患者（クライアント）又は第１医師に対して提示することができ、この回答情報に対応する第２医師の中から医療サービスを提供する第２医師を決めることが可能となる。以上のことから、従来技術と比べて、第２医師のニーズに合致する第２医師を迅速且つ効率的に検索することができるので、第２医師の検索性を向上させることが可能となる。
【００８９】
また、サービスは、医療サービスであり、検索条件情報は、医師の出勤状態を示す出勤状態情報、患者の症例と関連する医師の診療分野を示す診療分野情報、又は、患者の位置と関連する医師の位置を示す位置情報を含むので、医療サービスの提供を受ける患者（クライアント）のニーズに合致するホストを一層効率的に検索することができ、第２医師（ホスト）の検索性を一層向上させることが可能となる。
【００９０】
また、情報提供装置３０は、医師現在位置情報及び医療施設位置情報が所定方法で取得された場合に、当該医師現在位置情報及び当該医療施設位置情報に基づいて、ホストＤＢ３３ａに格納されている検索条件情報のうちの出勤状態情報を更新する更新部３３ｃを備えたので、第２医師（ホスト）から出勤状態を示す通知を受け付けることなく、ホストＤＢ３３ａに格納されている出勤状態情報を更新することができ、第２医師による当該更新に関する作業の手間を省略することが可能となる。
【００９１】
また、情報提供装置３０の通信部３１は、当該通信部３１にて確定情報がクライアント側装置１０から受信された場合に、特定部３２ａにて特定されたホスト情報に対応するホスト側装置２０の中から当該確定情報に対応するホスト側装置２０以外の他のホスト側装置２０に当該確定情報を送信するので、特定部３２ａにて特定されたホスト側装置２０の第２医師（ホスト）のうち患者（クライアント）に対してサービスを提供しなかった他の第２医師に対して確定情報を提示することができ、他の第２医師が自己以外の第２医師によって患者に対してサービスが提供されたことを事後的に確認することが可能となる。
【００９２】
（実施の形態に対する変形例）
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９４】
（分散や統合について）
上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、情報提供装置３０を、相互に通信可能に構成された複数の装置に分散して構成し、これら複数の装置の一部に制御部３２を設けると共に、これら複数の装置の他の一部にデータ記録部３３を設けてもよい。
【００９５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９６】
（適用対象について）
上記実施の形態では、検索システム１が、第１の医療施設３に救急搬送された患者に対して医療サービスを提供することが可能な第２医師を検索する場合に適用されると説明したが、これに限られない。例えば、第１の医療施設３に入院している患者を診断した結果、第１の医療施設３では治療できない症状が見つかったことから、この患者に対して医療サービスを提供することが可能な第２医師を検索する場合に適用されてもよい。また、第１の医療施設３に入院している患者が退院する場合に、この患者が通院可能な第２の医療施設４（例えば、診療所等）に所属する第２医師を検索する場合に適用されてもよい。
【００９７】
（第２医師について）
上記実施の形態では、第２医師は、第１医師とは異なる医療施設に所属している医師であると説明したが、これに限られず、例えば、同じ医療施設に所属している医師であってもよい。
【００９８】
（検索条件情報について）
上記実施の形態では、検索条件情報は、出勤状態情報、診療分野情報、及び位置情報を含むと説明したが、これに限られない。例えば、出勤状態情報、診療分野情報、及び位置情報に加えて、医師の評価を示す情報、医師が所属する医療施設の規模を示す情報、患者が医師から受けた診療回数を示す情報を含めることにより、患者（クライアント）のニーズに合致する第２医者を一層効率的に検索することが可能となる。
【００９９】
（クライアント側装置について）
上記実施の形態では、クライアント側装置１０は、第１医師によって所持されていると説明したが、これに限られず、例えば、患者によって所持されてもよく、あるいは、患者を搬送する救急車の隊員（クライアント側補助者）によって所持されてもよい。
【０１００】
（ホスト側装置について）
上記実施の形態では、ホスト側装置２０は、第２医師によって所持されていると説明したが、これに限られず、例えば、第２医師が所属する医療施設の看護士（ホスト側補助者）又は事務員（ホスト側補助者）によって所持されてもよい。
【０１０１】
（検索処理について）
上記実施の形態では、ＳＡ６からＳＡ８、ＳＢ５からＳＢ６、ＳＣ５からＳＣ７の処理が行われると説明したが、検索システム１の処理負荷を低減するために、ＳＡ６からＳＡ８、ＳＢ５からＳＢ６、ＳＣ５からＳＣ７の処理を省略してもよい。この場合には、例えば、ＳＣ４の処理後に、ホスト側装置２０の第２医師が、クライアント側装置１０の第１医師に対して、電話等を用いて交渉を行うことにより、医療サービスを提供する第２医師を確定してもよい。
【０１０２】
また、上記実施の形態では、ＳＢ４において、ＳＢ３にて生成された通知情報をＳＢ２にて特定されたホスト情報に対応するホスト側装置２０のすべてに対して送信すると説明したが、これに限られず、ＳＢ２にて特定されたホスト情報に対応するホスト側装置２０の一部のみに送信してもよい。具体的には、まず、ＳＢ２において情報提供装置３０の制御部３２は、ＳＢ１にて受信された検索条件情報に対応するホスト情報が特定された後、当該特定されたホスト情報当該ホスト情報に対応する検索条件情報を通信部３１によってクライアント側装置１０に送信させる。次に、クライアント側装置１０の制御部１６は、情報提供装置３０から受信されたホスト情報及び検索条件情報をディスプレイ１４によって出力させる（例えば、ホスト情報及び検索条件情報を相互に関連付けて一覧表示させたり、地図上においてホスト情報（一例としてアイコン画像）を当該ホスト情報に対応する位置情報の位置に表示させる等）。次いで、クライアント側装置１０の制御部１６は、上記表示されたホスト情報の中からタッチパッド１３を介して選択されたホスト情報を通知情報を送信すべきホスト情報として特定し、当該特定されたホスト情報をクライアント側通信部１２によってクライアント側装置１０に送信させる。そして、情報提供装置３０の制御部３２は、通信部３１によって、ＳＢ３にて生成された通知情報をクライアント側装置１０にて特定されたホスト情報に対応するホスト側装置２０に送信させる。これにより、患者（クライアント）のニーズに合致する第２医者を一層効率的に検索することが可能となる。
【０１０３】
また、上記実施の形態では、ＳＣ４において、ＳＣ３にて生成された回答情報をクライアント側装置１０に直接的に送信させると説明したが、これに限られず、例えば、ＳＣ３にて生成された回答情報を情報提供装置３０を介してクライアント側装置１０に送信させてもよい。
【０１０４】
（更新処理について）
上記実施の形態では、更新処理が実行されると説明したが、これに限られず、例えば、更新処理を省略してもよい。この場合には、情報提供装置３０の更新部３３ｃも省略してもよい。
【０１０５】
また、上記実施の形態では、情報提供装置３０のホストＤＢ３３ａに格納されている出勤状態情報及び位置情報を更新すると説明したが、これに限られず、例えば、出勤状態情報のみを更新してもよい。また、上記実施の形態では、ＳＤ１にて取得された医師現在位置情報及びＳＤ２にて取得された医療施設位置情報に基づいて、出勤状態情報を更新すると説明したが、これに限られず、例えば、ホスト側装置２０から送信された情報であって、第２医師によってタッチパッド２３を介して入力された出勤状態を示す情報を出勤状態情報として更新してもよい。
【０１０６】
（付記）
付記１の検索システムは、クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、前記クライアント側装置は、前記複数のホスト側装置又は前記情報提供システムとの相互間で通信を行うためのクライアント側通信手段と、前記ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、を備え、前記複数のホスト側装置の各々は、前記クライアント側装置又は前記情報提供システムとの相互間で通信を行うためのホスト側通信手段と、前記サービスを提供できるか否かの回答を示す回答情報を生成する回答情報生成手段と、当該各ホスト側装置に関する各種情報を出力するホスト側出力手段と、を備え、前記情報提供システムは、前記クライアント側装置又は前記複数のホスト側装置との相互間で通信を行うための通信手段と、前記検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記クライアント側装置の前記検索条件情報生成手段は、前記取得手段にて前記生成用情報が取得された場合に、当該生成用情報に基づいて前記検索条件情報を生成し、前記クライアント側装置の前記クライアント側通信手段は、前記検索条件情報生成手段にて生成された前記検索条件情報を前記情報提供システムに送信し、前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、前記情報提供システムの前記通信手段は、前記通知情報生成手段にて生成された前記通知情報を前記特定手段にて特定された前記ホスト情報に対応する前記ホスト側装置に送信し、前記複数のホスト側装置の各々の前記ホスト側出力手段は、前記ホスト側通信手段にて前記通知情報が受信された場合に、当該通知情報を出力し、前記複数のホスト側装置の各々の前記回答情報生成手段は、前記ホスト側出力手段にて出力された前記通知情報に対する前記回答情報であって、所定方法で特定された前記回答を示す前記回答情報を生成し、前記複数のホスト側装置の各々の前記ホスト側通信手段は、前記回答情報生成手段にて生成された前記回答情報を前記クライアント側装置又は前記情報提供システムに送信し、前記クライアント側装置の前記クライアント側出力手段は、前記クライアント側通信手段にて前記回答情報が受信された場合に、当該回答情報を出力する。
【０１０７】
付記２の情報提供システムは、クライアント側装置及び複数のホスト側装置の各々と通信可能に接続された情報提供システムであって、前記クライアント側装置又は前記複数のホスト側装置との相互間で通信を行うための通信手段と、ホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信する。
【０１０８】
付記３の情報提供システムは、付記２に記載の情報提供システムにおいて、前記サービスは、医療サービスであり、前記検索条件情報は、医師の出勤状態を示す出勤状態情報、患者の症例と関連する前記医師の診療分野を示す診療分野情報、又は、前記患者の位置と関連する前記医師の位置を示す位置情報を含む。
【０１０９】
付記４の情報提供システムは、付記３に記載の情報提供システムにおいて、前記情報提供システムは、前記医師の現在位置を示す医師現在位置情報及び前記医師が所属する医療施設の位置を示す医療施設位置情報が所定方法で取得された場合に、当該医師現在位置情報及び当該医療施設位置情報に基づいて、前記ホスト情報格納手段に格納されている前記検索条件情報のうちの前記出勤状態情報を更新する更新手段を備えた。
【０１１０】
付記５の情報提供システムは、付記２から４のいずれか一項に記載の情報提供システムにおいて、前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する。
【０１１１】
付記６のクライアント側装置は、情報提供システム及び複数のホスト側装置の各々と通信可能に接続されたクライアント側装置であって、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、を備え、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力する。
【０１１２】
付記７のホスト側装置は、クライアント側装置及び情報提供システムと通信可能に接続されたホスト側装置であって、前記クライアント側装置又は前記情報提供システムとの相互間で通信を行うためのホスト側通信手段と、クライアントに対してサービスを提供できるか否かの回答を示す回答情報を生成する回答情報生成手段と、当該ホスト側装置に関する各種情報を出力するホスト側出力手段と、を備え、前記ホスト側出力手段は、前記情報提供システムにて特定されたホストである旨を通知するための通知情報が前記ホスト側通信手段にて受信された場合に、当該通知情報を出力し、前記回答情報生成手段は、前記ホスト側出力手段にて出力された前記通知情報に対する前記回答情報であって、所定方法で特定された前記回答を示す前記回答情報を生成し、前記ホスト側通信手段は、前記回答情報生成手段にて生成された前記回答情報を前記クライアント側装置又は前記情報提供システムに送信する。
【０１１３】
付記８の情報提供方法は、クライアント側装置及び複数のホスト側装置の各々と通信可能に接続された情報提供システムにおいて行われる情報提供方法であって、通信手段が、前記クライアント側装置又は前記複数のホスト側装置との相互間で通信を行うための通信ステップと、特定手段が、前記通信手段にてホストを検索するための条件を示す検索条件情報が受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、通知情報生成手段が、前記特定ステップにおいて特定された前記ホスト情報に対応するホストである旨を通知するための通知情報を生成する通知情報生成ステップと、を含み、前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、前記通信ステップにおいて、前記通知情報生成ステップにおいて生成された前記通知情報を前記特定ステップにおいて特定された前記ホスト情報に対応する前記ホスト側装置に送信する。
【０１１４】
付記９の情報提供プログラムは、クライアント側装置及び複数のホスト側装置の各々と通信可能に接続された情報提供システムに実行させるための情報提供プログラムであって、コンピュータを、前記クライアント側装置又は前記複数のホスト側装置との相互間で通信を行うための通信手段と、ホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、として機能させるための情報提供プログラムであり、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信する。
【０１１５】
付記１０のクライアント側プログラムは、情報提供システム及び複数のホスト側装置の各々と通信可能に接続されたクライアント側装置に実行させるためのクライアント側プログラムであって、コンピュータを、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、として機能させるためのクライアント側プログラムであり、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力する。
【０１１６】
付記１１のホスト側プログラムは、クライアント側装置及び情報提供システムと通信可能に接続されたホスト側装置に実行させるためのホスト側プログラムであって、コンピュータを、前記クライアント側装置又は前記情報提供システムとの相互間で通信を行うためのホスト側通信手段と、クライアントに対してサービスを提供できるか否かの回答を示す回答情報を生成する回答情報生成手段と、当該ホスト側装置に関する各種情報を出力するホスト側出力手段と、として機能させるためのホスト側プログラムであり、前記ホスト側出力手段は、前記情報提供システムにて特定されたホストである旨を通知するための通知情報が前記ホスト側通信手段にて受信された場合に、当該通知情報を出力し、前記回答情報生成手段は、前記ホスト側出力手段にて出力された前記通知情報に対する前記回答情報であって、所定方法で特定された前記回答を示す前記回答情報を生成し、前記ホスト側通信手段は、前記回答情報生成手段にて生成された前記回答情報を前記クライアント側装置又は前記情報提供システムに送信する。
【０１１７】
（付記の効果）
付記１に記載の検索システム、付記２に記載の情報提供システム、付記６に記載のクライアント側装置、付記７に記載のホスト側装置、付記８に記載の情報提供方法、付記９に記載の情報提供プログラム、付記１０に記載のクライアント側プログラム、又は付記１１に記載のホスト側プログラムによれば、クライアント側装置のクライアント側通信手段は、検索条件情報生成手段にて生成された検索条件情報を情報提供システムに送信し、情報提供システムの特定手段は、通信手段にて検索条件情報が受信された場合に、ホスト情報格納手段に格納されているホスト情報の中から当該検索条件情報に対応するホスト情報を特定し、情報提供システムの通信手段は、通知情報生成手段にて生成された通知情報を特定手段にて特定されたホスト情報に対応するホスト側装置に送信するので、検索条件情報と一致する全てのホスト側装置に対して通知情報を一斉に送信することができ、当該ホスト側装置のホストに対して通知情報を迅速且つ効率的に提示することが可能となる。また、複数のホスト側装置の各々のホスト側通信手段は、回答情報生成手段にて生成された回答情報をクライアント側装置又は情報提供システムに送信し、クライアント側装置のクライアント側出力手段は、クライアント側通信手段にて回答情報が受信された場合に、当該回答情報を出力するので、クライアント側装置が検索条件情報と一致するホスト側装置から受信した少なくとも１つ以上の回答情報をクライアントに対して提示することができ、この回答情報に対応するホストの中から医療サービスを提供するホストを決めることが可能となる。以上のことから、従来技術と比べて、クライアントのニーズに合致するホストを迅速且つ効率的に検索することができるので、ホストの検索性を向上させることが可能となる。
【０１１８】
付記３に記載の情報提供システムによれば、サービスは、医療サービスであり、検索条件情報は、医師の出勤状態を示す出勤状態情報、患者の症例と関連する医師の診療分野を示す診療分野情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。
【０１１９】
付記４に記載の情報提供システムによれば、情報提供システムは、医師現在位置情報及び医療施設位置情報が所定方法で取得された場合に、当該医師現在位置情報及び当該医療施設位置情報に基づいて、ホスト情報格納手段に格納されている検索条件情報のうちの出勤状態情報を更新する更新手段を備えたので、ホストから出勤状態を示す通知を受け付けることなく、ホスト情報格納手段に格納されている出勤状態情報を更新することができ、ホストによる当該更新に関する作業の手間を省略することが可能となる。
【０１２０】
付記５に記載の情報提供システムによれば、情報提供システムの通信手段は、当該通信手段にて確定情報がクライアント側装置から受信された場合に、特定手段にて特定されたホスト情報に対応するホスト側装置の中から当該確定情報に対応するホスト側装置以外の他のホスト側装置に当該確定情報を送信するので、特定手段にて特定されたホスト側装置のホストのうちクライアントに対してサービスを提供しなかった他のホストに対して確定情報を提示することができ、他のホストが自己以外のホストによってクライアントに対してサービスが提供されたことを事後的に確認することが可能となる。
【符号の説明】
【０１２１】
１  検索システム
２  ネットワーク
３  第１の医療施設
４  第２の医療施設
１０  クライアント側装置
１１  現在位置取得部
１２  クライアント側通信部
１３  タッチパッド
１４  ディスプレイ
１５  スピーカ
１６  制御部
１６ａ  取得部
１６ｂ  検索条件情報生成部
１７  データ記録部
２０  ホスト側装置
２１  現在位置取得部
２２  ホスト側通信部
２３  タッチパッド
２４  ディスプレイ
２５  スピーカ
２６  制御部
２６ａ  回答情報生成部
２７  データ記録部
３０  情報提供装置
３１  通信部
３２  制御部
３２ａ  特定部
３２ｂ  通知情報生成部
３３ｃ  更新部
３３  データ記録部
３３ａ  ホストＤＢ
３３ｂ  医療施設ＤＢ
【図１】
2018005377.tif 000003
【図２】
2018005377.tif 000004
【図３】
2018005377.tif 000005
【図４】
2018005377.tif 000006
【図５】
2018005377.tif 000007
【図６】
2018005377.tif 000008
【図７】
2018005377.tif 000009
【図８】
2018005377.tif 000010
【図９】
2018005377.tif 000011
【図１０】
2018005377.tif 000012
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、
前記クライアント側装置は、
前記複数のホスト側装置又は前記情報提供システムとの相互間で通信を行うためのクライアント側通信手段と、
前記ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、を備え、
前記複数のホスト側装置の各々は、
前記クライアント側装置又は前記情報提供システムとの相互間で通信を行うためのホスト側通信手段と、
前記サービスを提供できるか否かの回答を示す回答情報を生成する回答情報生成手段と、
当該各ホスト側装置に関する各種情報を出力するホスト側出力手段と、を備え、
前記情報提供システムは、
前記クライアント側装置又は前記複数のホスト側装置との相互間で通信を行うための通信手段と、
前記検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記クライアント側装置の前記検索条件情報生成手段は、前記取得手段にて前記生成用情報が取得された場合に、当該生成用情報に基づいて前記検索条件情報を生成し、
前記クライアント側装置の前記クライアント側通信手段は、前記検索条件情報生成手段にて生成された前記検索条件情報を前記情報提供システムに送信し、
前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、
前記情報提供システムの前記通信手段は、前記通知情報生成手段にて生成された前記通知情報を前記特定手段にて特定された前記ホスト情報に対応する前記ホスト側装置に送信し、
前記複数のホスト側装置の各々の前記ホスト側出力手段は、前記ホスト側通信手段にて前記通知情報が受信された場合に、当該通知情報を出力し、
前記複数のホスト側装置の各々の前記回答情報生成手段は、前記ホスト側出力手段にて出力された前記通知情報に対する前記回答情報であって、所定方法で特定された前記回答を示す前記回答情報を生成し、
前記複数のホスト側装置の各々の前記ホスト側通信手段は、前記回答情報生成手段にて生成された前記回答情報を前記クライアント側装置又は前記情報提供システムに送信し、
前記クライアント側装置の前記クライアント側出力手段は、前記クライアント側通信手段にて前記回答情報が受信された場合に、当該回答情報を出力し、
前記サービスは、医療サービスであり、
前記検索条件情報は、前記患者の症例と関連する前記医師の診療分野を示す診療分野情報を含み、
前記生成用情報は、前記診療分野情報を生成するための診療分野生成用情報であって前記患者の症状を示す診療分野生成用情報を含み、
前記クライアント側装置の前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する、
検索システム。
【請求項２】
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
請求項１に記載の検索システム。
【請求項３】
クライアント側装置及び複数のホスト側装置の各々と通信可能に接続された情報提供システムであって、
前記クライアント側装置又は前記複数のホスト側装置との相互間で通信を行うための通信手段と、
クライアントに対してサービスを提供するホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信し、
前記サービスは、医療サービスであり、
前記検索条件情報は、医師の出勤状態を示す出勤状態情報、又は前記患者の位置と関連する前記医師の位置を示す位置情報を含む、
情報提供システム。
【請求項４】
前記情報提供システムは、前記医師の現在位置を示す医師現在位置情報及び前記医師が所属する医療施設の位置を示す医療施設位置情報が所定方法で取得された場合に、当該医師現在位置情報及び当該医療施設位置情報に基づいて、前記ホスト情報格納手段に格納されている前記検索条件情報のうちの前記出勤状態情報を更新する更新手段を備えた、
請求項３に記載の情報提供システム。
【請求項５】
前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する、
請求項３又は４に記載の情報提供システム。
【請求項６】
情報提供システム及び複数のホスト側装置の各々と通信可能に接続されたクライアント側装置であって、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、を備え、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、前記患者の症例と関連する前記医師の診療分野を示す診療分野情報を含み、
前記生成用情報は、前記診療分野情報を生成するための診療分野生成用情報であって前記患者の症状を示す診療分野生成用情報を含み、
前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する、
クライアント側装置。
【請求項７】
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
請求項６に記載のクライアント側装置。
【請求項８】
クライアント側装置及び複数のホスト側装置の各々と通信可能に接続された情報提供システムにおいて行われる情報提供方法であって、
通信手段が、前記クライアント側装置又は前記複数のホスト側装置との相互間で通信を行うための通信ステップと、
特定手段が、クライアントに対してサービスを提供するホストを検索するための条件を示す検索条件情報が前記通信手段にて受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、
通知情報生成手段が、前記特定ステップにおいて特定された前記ホスト情報に対応するホストである旨を通知するための通知情報を生成する通知情報生成ステップと、を含み、
前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、
前記通信ステップにおいて、前記通知情報生成ステップにおいて生成された前記通知情報を前記特定ステップにおいて特定された前記ホスト情報に対応する前記ホスト側装置に送信し、
前記サービスは、医療サービスであり、
前記検索条件情報は、医師の出勤状態を示す出勤状態情報、又は前記患者の位置と関連する前記医師の位置を示す位置情報を含む、
情報提供方法。
【請求項９】
クライアント側装置及び複数のホスト側装置の各々と通信可能に接続された情報提供システムに実行させるための情報提供プログラムであって、
コンピュータを、
前記クライアント側装置又は前記複数のホスト側装置との相互間で通信を行うための通信手段と、
クライアントに対してサービスを提供するホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、
として機能させるための情報提供プログラムであり、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信し、
前記サービスは、医療サービスであり、
前記検索条件情報は、医師の出勤状態を示す出勤状態情報、又は前記患者の位置と関連する前記医師の位置を示す位置情報を含む、
情報提供プログラム。
【請求項１０】
情報提供システム及び複数のホスト側装置の各々と通信可能に接続されたクライアント側装置に実行させるためのクライアント側プログラムであって、
コンピュータを、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、として機能させるためのクライアント側プログラムであり、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、前記患者の症例と関連する前記医師の診療分野を示す診療分野情報を含み、
前記生成用情報は、前記診療分野情報を生成するための診療分野生成用情報であって前記患者の症状を示す診療分野生成用情報を含み、
前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する、
クライアント側プログラム。
【請求項１１】
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
請求項１０に記載のクライアント側プログラム。
【手続補正３】
【補正対象書類名】明細書
【補正対象項目名】０００１
【補正方法】変更
【補正の内容】
【０００１】
本発明は、検索システム、情報提供システム、クライアント側装置、情報提供方法、情報提供プログラム、及びクライアント側プログラムに関する。
【手続補正４】
【補正対象書類名】明細書
【補正対象項目名】０００６
【補正方法】変更
【補正の内容】
【０００６】
本発明は、上記に鑑みてなされたものであって、病院の医師の如きホストの検索性を向上させることが可能となる、検索システム、情報提供システム、クライアント側装置、情報提供方法、情報提供プログラム、及びクライアント側プログラムを提供することを目的とする。
【手続補正５】
【補正対象書類名】明細書
【補正対象項目名】０００７
【補正方法】変更
【補正の内容】
【０００７】
請求項１に記載の検索システムは、クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、前記クライアント側装置は、前記複数のホスト側装置又は前記情報提供システムとの相互間で通信を行うためのクライアント側通信手段と、前記ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、を備え、前記複数のホスト側装置の各々は、前記クライアント側装置又は前記情報提供システムとの相互間で通信を行うためのホスト側通信手段と、前記サービスを提供できるか否かの回答を示す回答情報を生成する回答情報生成手段と、当該各ホスト側装置に関する各種情報を出力するホスト側出力手段と、を備え、前記情報提供システムは、前記クライアント側装置又は前記複数のホスト側装置との相互間で通信を行うための通信手段と、前記検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記クライアント側装置の前記検索条件情報生成手段は、前記取得手段にて前記生成用情報が取得された場合に、当該生成用情報に基づいて前記検索条件情報を生成し、前記クライアント側装置の前記クライアント側通信手段は、前記検索条件情報生成手段にて生成された前記検索条件情報を前記情報提供システムに送信し、前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、前記情報提供システムの前記通信手段は、前記通知情報生成手段にて生成された前記通知情報を前記特定手段にて特定された前記ホスト情報に対応する前記ホスト側装置に送信し、前記複数のホスト側装置の各々の前記ホスト側出力手段は、前記ホスト側通信手段にて前記通知情報が受信された場合に、当該通知情報を出力し、前記複数のホスト側装置の各々の前記回答情報生成手段は、前記ホスト側出力手段にて出力された前記通知情報に対する前記回答情報であって、所定方法で特定された前記回答を示す前記回答情報を生成し、前記複数のホスト側装置の各々の前記ホスト側通信手段は、前記回答情報生成手段にて生成された前記回答情報を前記クライアント側装置又は前記情報提供システムに送信し、前記クライアント側装置の前記クライアント側出力手段は、前記クライアント側通信手段にて前記回答情報が受信された場合に、当該回答情報を出力し、前記サービスは、医療サービスであり、前記検索条件情報は、前記患者の症例と関連する前記医師の診療分野を示す診療分野情報を含み、前記生成用情報は、前記診療分野情報を生成するための診療分野生成用情報であって前記患者の症状を示す診療分野生成用情報を含み、前記クライアント側装置の前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する。
【手続補正６】
【補正対象書類名】明細書
【補正対象項目名】０００８
【補正方法】変更
【補正の内容】
【０００８】
請求項２に記載の検索システムは、請求項１に記載の検索システムにおいて、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正７】
【補正対象書類名】明細書
【補正対象項目名】０００９
【補正方法】変更
【補正の内容】
【０００９】
請求項３に記載の情報提供システムは、クライアント側装置及び複数のホスト側装置の各々と通信可能に接続された情報提供システムであって、前記クライアント側装置又は前記複数のホスト側装置との相互間で通信を行うための通信手段と、クライアントに対してサービスを提供するホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信し、前記サービスは、医療サービスであり、前記検索条件情報は、医師の出勤状態を示す出勤状態情報、又は前記患者の位置と関連する前記医師の位置を示す位置情報を含む。
【手続補正８】
【補正対象書類名】明細書
【補正対象項目名】００１１
【補正方法】変更
【補正の内容】
【００１１】
請求項５に記載の情報提供システムは、請求項３又は４に記載の情報提供システムにおいて、前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する。
【手続補正９】
【補正対象書類名】明細書
【補正対象項目名】００１２
【補正方法】変更
【補正の内容】
【００１２】
請求項６に記載のクライアント側装置は、情報提供システム及び複数のホスト側装置の各々と通信可能に接続されたクライアント側装置であって、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、を備え、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、前記患者の症例と関連する前記医師の診療分野を示す診療分野情報を含み、前記生成用情報は、前記診療分野情報を生成するための診療分野生成用情報であって前記患者の症状を示す診療分野生成用情報を含み、前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する。
【手続補正１０】
【補正対象書類名】明細書
【補正対象項目名】００１３
【補正方法】変更
【補正の内容】
【００１３】
請求項７に記載のクライアント側装置は、請求項６に記載のクライアント側装置において、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正１１】
【補正対象書類名】明細書
【補正対象項目名】００１４
【補正方法】変更
【補正の内容】
【００１４】
請求項８に記載の情報提供方法は、クライアント側装置及び複数のホスト側装置の各々と通信可能に接続された情報提供システムにおいて行われる情報提供方法であって、通信手段が、前記クライアント側装置又は前記複数のホスト側装置との相互間で通信を行うための通信ステップと、特定手段が、クライアントに対してサービスを提供するホストを検索するための条件を示す検索条件情報が前記通信手段にて受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、通知情報生成手段が、前記特定ステップにおいて特定された前記ホスト情報に対応するホストである旨を通知するための通知情報を生成する通知情報生成ステップと、を含み、前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、前記通信ステップにおいて、前記通知情報生成ステップにおいて生成された前記通知情報を前記特定ステップにおいて特定された前記ホスト情報に対応する前記ホスト側装置に送信し、前記サービスは、医療サービスであり、前記検索条件情報は、医師の出勤状態を示す出勤状態情報、又は前記患者の位置と関連する前記医師の位置を示す位置情報を含む。
【手続補正１２】
【補正対象書類名】明細書
【補正対象項目名】００１５
【補正方法】変更
【補正の内容】
【００１５】
請求項９に記載の情報提供プログラムは、クライアント側装置及び複数のホスト側装置の各々と通信可能に接続された情報提供システムに実行させるための情報提供プログラムであって、コンピュータを、前記クライアント側装置又は前記複数のホスト側装置との相互間で通信を行うための通信手段と、クライアントに対してサービスを提供するホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、として機能させるための情報提供プログラムであり、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信し、前記サービスは、医療サービスであり、前記検索条件情報は、医師の出勤状態を示す出勤状態情報、又は前記患者の位置と関連する前記医師の位置を示す位置情報を含む。
【手続補正１３】
【補正対象書類名】明細書
【補正対象項目名】００１６
【補正方法】変更
【補正の内容】
【００１６】
請求項１０に記載のクライアント側プログラムは、情報提供システム及び複数のホスト側装置の各々と通信可能に接続されたクライアント側装置に実行させるためのクライアント側プログラムであって、コンピュータを、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、として機能させるためのクライアント側プログラムであり、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、前記患者の症例と関連する前記医師の診療分野を示す診療分野情報を含み、前記生成用情報は、前記診療分野情報を生成するための診療分野生成用情報であって前記患者の症状を示す診療分野生成用情報を含み、前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成する。
【手続補正１４】
【補正対象書類名】明細書
【補正対象項目名】００１７
【補正方法】変更
【補正の内容】
【００１７】
請求項１１に記載のクライアント側プログラムは、請求項１０に記載のクライアント側プログラムにおいて、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正１５】
【補正対象書類名】明細書
【補正対象項目名】００１８
【補正方法】変更
【補正の内容】
【００１８】
請求項１に記載の検索システム、請求項３に記載の情報提供システム、請求項６に記載のクライアント側装置、請求項８に記載の情報提供方法、請求項９に記載の情報提供プログラム、又は請求項１０に記載のクライアント側プログラムによれば、クライアント側装置のクライアント側通信手段は、検索条件情報生成手段にて生成された検索条件情報を情報提供システムに送信し、情報提供システムの特定手段は、通信手段にて検索条件情報が受信された場合に、ホスト情報格納手段に格納されているホスト情報の中から当該検索条件情報に対応するホスト情報を特定し、情報提供システムの通信手段は、通知情報生成手段にて生成された通知情報を特定手段にて特定されたホスト情報に対応するホスト側装置に送信するので、検索条件情報と一致する全てのホスト側装置に対して通知情報を一斉に送信することができ、当該ホスト側装置のホストに対して通知情報を迅速且つ効率的に提示することが可能となる。また、複数のホスト側装置の各々のホスト側通信手段は、回答情報生成手段にて生成された回答情報をクライアント側装置又は情報提供システムに送信し、クライアント側装置のクライアント側出力手段は、クライアント側通信手段にて回答情報が受信された場合に、当該回答情報を出力するので、クライアント側装置が検索条件情報と一致するホスト側装置から受信した少なくとも１つ以上の回答情報をクライアントに対して提示することができ、この回答情報に対応するホストの中から医療サービスを提供するホストを決めることが可能となる。以上のことから、従来技術と比べて、クライアントのニーズに合致するホストを迅速且つ効率的に検索することができるので、ホストの検索性を向上させることが可能となる。
また、サービスは、医療サービスであり、検索条件情報は、医師の出勤状態を示す出勤状態情報、患者の症例と関連する医師の診療分野を示す診療分野情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。
【手続補正１６】
【補正対象書類名】明細書
【補正対象項目名】００１９
【補正方法】変更
【補正の内容】
【００１９】
請求項２に記載の検索システム、請求項７に記載のクライアント側装置、又は請求項１１に記載のクライアント側プログラムによれば、サービスは、医療サービスであり、検索条件情報は、医師の出勤状態を示す出勤状態情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。
【手続補正１７】
【補正対象書類名】明細書
【補正対象項目名】００２３
【補正方法】変更
【補正の内容】
【００２３】
以下に添付図面を参照して、この発明に係る検索システム、情報提供システム、クライアント側装置、情報提供方法、情報提供プログラム、及びクライアント側プログラムの実施の形態を詳細に説明する。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、
前記クライアント側装置は、
前記複数のホスト側装置又は前記情報提供システムとの相互間で通信を行うためのクライアント側通信手段と、
前記ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、を備え、
前記複数のホスト側装置の各々は、
前記クライアント側装置又は前記情報提供システムとの相互間で通信を行うためのホスト側通信手段と、
前記サービスを提供できるか否かの回答を示す回答情報を生成する回答情報生成手段と、
当該各ホスト側装置に関する各種情報を出力するホスト側出力手段と、を備え、
前記情報提供システムは、
前記クライアント側装置又は前記複数のホスト側装置との相互間で通信を行うための通信手段と、
前記検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記クライアント側装置の前記検索条件情報生成手段は、前記取得手段にて前記生成用情報が取得された場合に、当該生成用情報に基づいて前記検索条件情報を生成し、
前記クライアント側装置の前記クライアント側通信手段は、前記検索条件情報生成手段にて生成された前記検索条件情報を前記情報提供システムに送信し、
前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、
前記情報提供システムの前記通信手段は、前記通知情報生成手段にて生成された前記通知情報を前記特定手段にて特定された前記ホスト情報に対応する前記ホスト側装置に送信し、
前記複数のホスト側装置の各々の前記ホスト側出力手段は、前記ホスト側通信手段にて前記通知情報が受信された場合に、当該通知情報を出力し、
前記複数のホスト側装置の各々の前記回答情報生成手段は、前記ホスト側出力手段にて出力された前記通知情報に対する前記回答情報であって、所定方法で特定された前記回答を示す前記回答情報を生成し、
前記複数のホスト側装置の各々の前記ホスト側通信手段は、前記回答情報生成手段にて生成された前記回答情報を前記クライアント側装置又は前記情報提供システムに送信し、
前記クライアント側装置の前記クライアント側出力手段は、前記クライアント側通信手段にて前記回答情報が受信された場合に、当該回答情報を出力し、
前記サービスは、医療サービスであり、
前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、
前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、
前記クライアント側装置の前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
検索システム。
【請求項２】
クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、
前記クライアント側装置は、
前記複数のホスト側装置又は前記情報提供システムとの相互間で通信を行うためのクライアント側通信手段と、
前記ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、を備え、
前記複数のホスト側装置の各々は、
前記クライアント側装置又は前記情報提供システムとの相互間で通信を行うためのホスト側通信手段と、
前記サービスを提供できるか否かの回答を示す回答情報を生成する回答情報生成手段と、
当該各ホスト側装置に関する各種情報を出力するホスト側出力手段と、を備え、
前記情報提供システムは、
前記クライアント側装置又は前記複数のホスト側装置との相互間で通信を行うための通信手段と、
前記検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記クライアント側装置の前記検索条件情報生成手段は、前記取得手段にて前記生成用情報が取得された場合に、当該生成用情報に基づいて前記検索条件情報を生成し、
前記クライアント側装置の前記クライアント側通信手段は、前記検索条件情報生成手段にて生成された前記検索条件情報を前記情報提供システムに送信し、
前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、
前記情報提供システムの前記通信手段は、前記通知情報生成手段にて生成された前記通知情報を前記特定手段にて特定された前記ホスト情報に対応する前記ホスト側装置に送信し、
前記複数のホスト側装置の各々の前記ホスト側出力手段は、前記ホスト側通信手段にて前記通知情報が受信された場合に、当該通知情報を出力し、
前記複数のホスト側装置の各々の前記回答情報生成手段は、前記ホスト側出力手段にて出力された前記通知情報に対する前記回答情報であって、所定方法で特定された前記回答を示す前記回答情報を生成し、
前記複数のホスト側装置の各々の前記ホスト側通信手段は、前記回答情報生成手段にて生成された前記回答情報を前記クライアント側装置又は前記情報提供システムに送信し、
前記クライアント側装置の前記クライアント側出力手段は、前記クライアント側通信手段にて前記回答情報が受信された場合に、当該回答情報を出力し、
前記サービスは、医療サービスであり、
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
検索システム。
【請求項３】
クライアント側装置及び複数のホスト側装置の各々と通信可能に接続された情報提供システムであって、
前記クライアント側装置又は前記複数のホスト側装置との相互間で通信を行うための通信手段と、
クライアントに対してサービスを提供するホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、を備え、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信し、
前記サービスは、医療サービスであり、
前記検索条件情報は、前記患者の位置と関連する前記医師の位置を示す位置情報を含む、
情報提供システム。
【請求項４】
前記情報提供システムは、前記医師の現在位置を示す医師現在位置情報及び前記医師が所属する医療施設の位置を示す医療施設位置情報が所定方法で取得された場合に、当該医師現在位置情報及び当該医療施設位置情報に基づいて、前記ホスト情報格納手段に格納されている前記検索条件情報のうちの前記出勤状態情報を更新する更新手段を備えた、
請求項３に記載の情報提供システム。
【請求項５】
前記情報提供システムの前記通信手段は、当該通信手段にて前記サービスを提供する前記ホストが確定された旨を示す確定情報が前記クライアント側装置から受信された場合に、前記特定手段にて特定された前記ホスト情報に対応する前記ホスト側装置の中から当該確定情報に対応するホスト側装置以外の他のホスト側装置に当該確定情報を送信する、
請求項３又は４に記載の情報提供システム。
【請求項６】
情報提供システム及び複数のホスト側装置の各々と通信可能に接続されたクライアント側装置であって、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、を備え、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、
前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、
前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
クライアント側装置。
【請求項７】
情報提供システム及び複数のホスト側装置の各々と通信可能に接続されたクライアント側装置であって、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、を備え、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
クライアント側装置。
【請求項８】
クライアント側装置及び複数のホスト側装置の各々と通信可能に接続された情報提供システムにおいて行われる情報提供方法であって、
通信手段が、前記クライアント側装置又は前記複数のホスト側装置との相互間で通信を行うための通信ステップと、
特定手段が、クライアントに対してサービスを提供するホストを検索するための条件を示す検索条件情報が前記通信手段にて受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、
通知情報生成手段が、前記特定ステップにおいて特定された前記ホスト情報に対応するホストである旨を通知するための通知情報を生成する通知情報生成ステップと、を含み、
前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、
前記通信ステップにおいて、前記通知情報生成ステップにおいて生成された前記通知情報を前記特定ステップにおいて特定された前記ホスト情報に対応する前記ホスト側装置に送信し、
前記サービスは、医療サービスであり、
前記検索条件情報は、前記患者の位置と関連する前記医師の位置を示す位置情報を含む、
情報提供方法。
【請求項９】
クライアント側装置及び複数のホスト側装置の各々と通信可能に接続された情報提供システムに実行させるための情報提供プログラムであって、
コンピュータを、
前記クライアント側装置又は前記複数のホスト側装置との相互間で通信を行うための通信手段と、
クライアントに対してサービスを提供するホストを検索するための条件を示す検索条件情報と、前記ホストを特定するホスト情報とを相互に関連付けて格納するホスト情報格納手段と、
前記通信手段にて前記検索条件情報が受信された場合に、前記ホスト情報格納手段に格納されている前記ホスト情報の中から当該検索条件情報に対応するホスト情報を特定する特定手段と、
前記特定手段にて特定された前記ホスト情報に対応するホストである旨を通知するための通知情報を生成する通知情報生成手段と、
として機能させるための情報提供プログラムであり、
前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、
前記通信手段は、前記通知情報生成手段にて生成された前記通知情報を前記特定手段にて特定された前記ホスト情報に対応する前記ホスト側装置に送信し、
前記サービスは、医療サービスであり、
前記検索条件情報は、前記患者の位置と関連する前記医師の位置を示す位置情報を含む、
情報提供プログラム。
【請求項１０】
情報提供システム及び複数のホスト側装置の各々と通信可能に接続されたクライアント側装置に実行させるためのクライアント側プログラムであって、
コンピュータを、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、として機能させるためのクライアント側プログラムであり、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、
前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、
前記検索条件情報生成手段は、
前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
クライアント側プログラム。
【請求項１１】
情報提供システム及び複数のホスト側装置の各々と通信可能に接続されたクライアント側装置に実行させるためのクライアント側プログラムであって、
コンピュータを、
前記複数のホスト側装置又は前記情報提供システムとの相互間で通信を行うためのクライアント側通信手段と、
ホストを検索するための条件を示す検索条件情報を生成するための生成用情報を取得する取得手段と、
前記検索条件情報を生成する検索条件情報生成手段と、
当該クライアント側装置に関する各種情報を出力するクライアント側出力手段と、
患者の症状を示す症状情報と診療分野を示す情報を相互に関連付けて格納している診療分野テーブルと、として機能させるためのクライアント側プログラムであり、
前記検索条件情報生成手段は、前記取得手段にて前記生成用情報が取得された場合に、当該生成用情報に基づいて前記検索条件情報を生成し、
前記クライアント側通信手段は、前記検索条件情報生成手段にて生成された前記検索条件情報を前記情報提供システムに送信し、
前記クライアント側出力手段は、前記クライアント側通信手段にてクライアントに対してサービスを提供できるか否かの回答を示す回答情報が受信された場合に、当該回答情報を出力し、
前記サービスは、医療サービスであり、
前記検索条件情報は、医師の出勤状態を示す出勤状態情報、又は前記患者の位置と関連する前記医師の位置を示す位置情報を含み、
前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、
前記クライアント側装置の前記検索条件情報生成手段は、
前記取得手段にて前記出勤状態生成用情報が取得された場合に、当該出勤状態生成用情報を前記出勤状態情報として生成し、
前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する、
クライアント側プログラム。
【手続補正２】
【補正対象書類名】明細書
【補正対象項目名】０００７
【補正方法】変更
【補正の内容】
【０００７】
請求項１に記載の検索システムは、クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、前記クライアント側装置は、前記複数のホスト側装置又は前記情報提供システムとの相互間で通信を行うためのクライアント側通信手段と、前記ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、を備え、前記複数のホスト側装置の各々は、前記クライアント側装置又は前記情報提供システムとの相互間で通信を行うためのホスト側通信手段と、前記サービスを提供できるか否かの回答を示す回答情報を生成する回答情報生成手段と、当該各ホスト側装置に関する各種情報を出力するホスト側出力手段と、を備え、前記情報提供システムは、前記クライアント側装置又は前記複数のホスト側装置との相互間で通信を行うための通信手段と、前記検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記クライアント側装置の前記検索条件情報生成手段は、前記取得手段にて前記生成用情報が取得された場合に、当該生成用情報に基づいて前記検索条件情報を生成し、前記クライアント側装置の前記クライアント側通信手段は、前記検索条件情報生成手段にて生成された前記検索条件情報を前記情報提供システムに送信し、前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、前記情報提供システムの前記通信手段は、前記通知情報生成手段にて生成された前記通知情報を前記特定手段にて特定された前記ホスト情報に対応する前記ホスト側装置に送信し、前記複数のホスト側装置の各々の前記ホスト側出力手段は、前記ホスト側通信手段にて前記通知情報が受信された場合に、当該通知情報を出力し、前記複数のホスト側装置の各々の前記回答情報生成手段は、前記ホスト側出力手段にて出力された前記通知情報に対する前記回答情報であって、所定方法で特定された前記回答を示す前記回答情報を生成し、前記複数のホスト側装置の各々の前記ホスト側通信手段は、前記回答情報生成手段にて生成された前記回答情報を前記クライアント側装置又は前記情報提供システムに送信し、前記クライアント側装置の前記クライアント側出力手段は、前記クライアント側通信手段にて前記回答情報が受信された場合に、当該回答情報を出力し、前記サービスは、医療サービスであり、前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、前記クライアント側装置の前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正３】
【補正対象書類名】明細書
【補正対象項目名】０００８
【補正方法】変更
【補正の内容】
【０００８】
請求項２に記載の検索システムは、クライアントに対してサービスを提供するホストを検索する検索システムであり、クライアント側装置と、複数のホスト側装置と、前記クライアント側装置及び前記複数のホスト側装置の各々と通信可能に接続された情報提供システムとを備えた検索システムであって、前記クライアント側装置は、前記複数のホスト側装置又は前記情報提供システムとの相互間で通信を行うためのクライアント側通信手段と、前記ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、を備え、前記複数のホスト側装置の各々は、前記クライアント側装置又は前記情報提供システムとの相互間で通信を行うためのホスト側通信手段と、前記サービスを提供できるか否かの回答を示す回答情報を生成する回答情報生成手段と、当該各ホスト側装置に関する各種情報を出力するホスト側出力手段と、を備え、前記情報提供システムは、前記クライアント側装置又は前記複数のホスト側装置との相互間で通信を行うための通信手段と、前記検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記クライアント側装置の前記検索条件情報生成手段は、前記取得手段にて前記生成用情報が取得された場合に、当該生成用情報に基づいて前記検索条件情報を生成し、前記クライアント側装置の前記クライアント側通信手段は、前記検索条件情報生成手段にて生成された前記検索条件情報を前記情報提供システムに送信し、前記情報提供システムの前記特定手段は、前記通信手段にて前記検索条件情報が受信された場合に、前記ホスト情報格納手段に格納されている前記ホスト情報の中から当該検索条件情報に対応するホスト情報を特定し、前記情報提供システムの前記通信手段は、前記通知情報生成手段にて生成された前記通知情報を前記特定手段にて特定された前記ホスト情報に対応する前記ホスト側装置に送信し、前記複数のホスト側装置の各々の前記ホスト側出力手段は、前記ホスト側通信手段にて前記通知情報が受信された場合に、当該通知情報を出力し、前記複数のホスト側装置の各々の前記回答情報生成手段は、前記ホスト側出力手段にて出力された前記通知情報に対する前記回答情報であって、所定方法で特定された前記回答を示す前記回答情報を生成し、前記複数のホスト側装置の各々の前記ホスト側通信手段は、前記回答情報生成手段にて生成された前記回答情報を前記クライアント側装置又は前記情報提供システムに送信し、前記クライアント側装置の前記クライアント側出力手段は、前記クライアント側通信手段にて前記回答情報が受信された場合に、当該回答情報を出力し、前記サービスは、医療サービスであり、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正４】
【補正対象書類名】明細書
【補正対象項目名】０００９
【補正方法】変更
【補正の内容】
【０００９】
請求項３に記載の情報提供システムは、クライアント側装置及び複数のホスト側装置の各々と通信可能に接続された情報提供システムであって、前記クライアント側装置又は前記複数のホスト側装置との相互間で通信を行うための通信手段と、クライアントに対してサービスを提供するホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、を備え、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信し、前記サービスは、医療サービスであり、前記検索条件情報は、前記患者の位置と関連する前記医師の位置を示す位置情報を含む。
【手続補正５】
【補正対象書類名】明細書
【補正対象項目名】００１２
【補正方法】変更
【補正の内容】
【００１２】
請求項６に記載のクライアント側装置は、情報提供システム及び複数のホスト側装置の各々と通信可能に接続されたクライアント側装置であって、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、を備え、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正６】
【補正対象書類名】明細書
【補正対象項目名】００１３
【補正方法】変更
【補正の内容】
【００１３】
請求項７に記載のクライアント側装置は、情報提供システム及び複数のホスト側装置の各々と通信可能に接続されたクライアント側装置であって、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、を備え、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正７】
【補正対象書類名】明細書
【補正対象項目名】００１４
【補正方法】変更
【補正の内容】
【００１４】
請求項８に記載の情報提供方法は、クライアント側装置及び複数のホスト側装置の各々と通信可能に接続された情報提供システムにおいて行われる情報提供方法であって、通信手段が、前記クライアント側装置又は前記複数のホスト側装置との相互間で通信を行うための通信ステップと、特定手段が、クライアントに対してサービスを提供するホストを検索するための条件を示す検索条件情報が前記通信手段にて受信された場合に、ホスト情報格納手段に前記検索条件情報と相互に関連づけて格納されているホスト情報であってホストを特定するホスト情報の中から当該受信された前記検索条件情報に対応するホスト情報を特定する特定ステップと、通知情報生成手段が、前記特定ステップにおいて特定された前記ホスト情報に対応するホストである旨を通知するための通知情報を生成する通知情報生成ステップと、を含み、前記特定ステップにおいて、前記通信ステップにおいて前記検索条件情報が前記クライアント側装置から受信された場合に、前記ホスト情報格納手段に格納されている前記ホスト情報の中から当該検索条件情報に対応するホスト情報を特定し、前記通信ステップにおいて、前記通知情報生成ステップにおいて生成された前記通知情報を前記特定ステップにおいて特定された前記ホスト情報に対応する前記ホスト側装置に送信し、前記サービスは、医療サービスであり、前記検索条件情報は、前記患者の位置と関連する前記医師の位置を示す位置情報を含む。
【手続補正８】
【補正対象書類名】明細書
【補正対象項目名】００１５
【補正方法】変更
【補正の内容】
【００１５】
請求項９に記載の情報提供プログラムは、クライアント側装置及び複数のホスト側装置の各々と通信可能に接続された情報提供システムに実行させるための情報提供プログラムであって、コンピュータを、前記クライアント側装置又は前記複数のホスト側装置との相互間で通信を行うための通信手段と、クライアントに対してサービスを提供するホストを検索するための条件を示す検索条件情報と、前記ホストを特定するホスト情報とを相互に関連付けて格納するホスト情報格納手段と、前記通信手段にて前記検索条件情報が受信された場合に、前記ホスト情報格納手段に格納されている前記ホスト情報の中から当該検索条件情報に対応するホスト情報を特定する特定手段と、前記特定手段にて特定された前記ホスト情報に対応するホストである旨を通知するための通知情報を生成する通知情報生成手段と、として機能させるための情報提供プログラムであり、前記特定手段は、前記通信手段にて前記検索条件情報が前記クライアント側装置から受信された場合に、前記ホスト情報格納手段に格納されている前記ホスト情報の中から当該検索条件情報に対応するホスト情報を特定し、前記通信手段は、前記通知情報生成手段にて生成された前記通知情報を前記特定手段にて特定された前記ホスト情報に対応する前記ホスト側装置に送信し、前記サービスは、医療サービスであり、前記検索条件情報は、前記患者の位置と関連する前記医師の位置を示す位置情報を含む。
【手続補正９】
【補正対象書類名】明細書
【補正対象項目名】００１６
【補正方法】変更
【補正の内容】
【００１６】
請求項１０に記載のクライアント側プログラムは、情報提供システム及び複数のホスト側装置の各々と通信可能に接続されたクライアント側装置に実行させるためのクライアント側プログラムであって、コンピュータを、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、として機能させるためのクライアント側プログラムであり、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、前記患者の症例と関連する前記医師の診療分野を示す診療分野情報と、医師の出勤状態を示す出勤状態情報、又は前記患者の位置と関連する前記医師の位置を示す位置情報とを含み、前記生成用情報は、前記診療分野情報を生成するための診療分野生成用情報であって前記患者の症状を示す診療分野生成用情報と、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報とを含み、前記検索条件情報生成手段は、前記取得手段にて前記診療分野生成用情報が取得された場合に、前記診療分野テーブルに格納されている前記診療分野を示す情報の中から、当該診療分野生成用情報に対応する前記診療分野を示す情報を特定し、当該特定した情報を前記診療分野情報として生成し、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正１０】
【補正対象書類名】明細書
【補正対象項目名】００１７
【補正方法】変更
【補正の内容】
【００１７】
請求項１１に記載のクライアント側プログラムは、情報提供システム及び複数のホスト側装置の各々と通信可能に接続されたクライアント側装置に実行させるためのクライアント側プログラムであって、コンピュータを、前記複数のホスト側装置又は前記情報提供システムとの相互間で通信を行うためのクライアント側通信手段と、ホストを検索するための条件を示す検索条件情報を生成するための生成用情報を取得する取得手段と、前記検索条件情報を生成する検索条件情報生成手段と、当該クライアント側装置に関する各種情報を出力するクライアント側出力手段と、患者の症状を示す症状情報と診療分野を示す情報を相互に関連付けて格納している診療分野テーブルと、として機能させるためのクライアント側プログラムであり、前記検索条件情報生成手段は、前記取得手段にて前記生成用情報が取得された場合に、当該生成用情報に基づいて前記検索条件情報を生成し、前記クライアント側通信手段は、前記検索条件情報生成手段にて生成された前記検索条件情報を前記情報提供システムに送信し、前記クライアント側出力手段は、前記クライアント側通信手段にてクライアントに対してサービスを提供できるか否かの回答を示す回答情報が受信された場合に、当該回答情報を出力し、前記サービスは、医療サービスであり、前記検索条件情報は、医師の出勤状態を示す出勤状態情報、又は前記患者の位置と関連する前記医師の位置を示す位置情報を含み、前記生成用情報は、前記出勤状態情報を生成するための出勤状態生成用情報であって前記医師の出勤状態を示す出勤状態生成用情報、又は前記位置情報を生成するための位置生成用情報であって前記患者又はクライアント補助者の現在位置から所定の距離範囲の領域を示す位置生成用情報を含み、前記クライアント側装置の前記検索条件情報生成手段は、前記取得手段にて前記出勤状態生成用情報が取得された場合に、当該出勤状態生成用情報を前記出勤状態情報として生成し、前記取得手段にて前記位置生成用情報が取得された場合に、前記情報提供システム又は前記ホスト側装置から取得された前記位置情報の中から、当該位置生成用情報で示される前記領域内の座標に対応する位置情報を抽出し、当該抽出した情報を前記位置情報として生成する。
【手続補正１１】
【補正対象書類名】明細書
【補正対象項目名】００１８
【補正方法】変更
【補正の内容】
【００１８】
請求項１に記載の検索システム、請求項３に記載の情報提供システム、請求項６に記載のクライアント側装置、請求項８に記載の情報提供方法、請求項９に記載の情報提供プログラム、又は請求項１０に記載のクライアント側プログラムによれば、クライアント側装置のクライアント側通信手段は、検索条件情報生成手段にて生成された検索条件情報を情報提供システムに送信し、情報提供システムの特定手段は、通信手段にて検索条件情報が受信された場合に、ホスト情報格納手段に格納されているホスト情報の中から当該検索条件情報に対応するホスト情報を特定し、情報提供システムの通信手段は、通知情報生成手段にて生成された通知情報を特定手段にて特定されたホスト情報に対応するホスト側装置に送信するので、検索条件情報と一致する全てのホスト側装置に対して通知情報を一斉に送信することができ、当該ホスト側装置のホストに対して通知情報を迅速且つ効率的に提示することが可能となる。また、複数のホスト側装置の各々のホスト側通信手段は、回答情報生成手段にて生成された回答情報をクライアント側装置又は情報提供システムに送信し、クライアント側装置のクライアント側出力手段は、クライアント側通信手段にて回答情報が受信された場合に、当該回答情報を出力するので、クライアント側装置が検索条件情報と一致するホスト側装置から受信した少なくとも１つ以上の回答情報をクライアントに対して提示することができ、この回答情報に対応するホストの中から医療サービスを提供するホストを決めることが可能となる。以上のことから、従来技術と比べて、クライアントのニーズに合致するホストを迅速且つ効率的に検索することができるので、ホストの検索性を向上させることが可能となる。
また、サービスは、医療サービスであり、検索条件情報は、医師の出勤状態を示す出勤状態情報、患者の症例と関連する医師の診療分野を示す診療分野情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。
また、検索条件情報は、医師の出勤状態を示す出勤状態情報、又は、患者の位置と関連する医師の位置を示す位置情報を含むので、医療サービスの提供を受けるクライアントのニーズに合致するホストを一層効率的に検索することができ、ホストの検索性を一層向上させることが可能となる。